(57)【特許請求の範囲】
【請求項１】
第一音声情報を再生する第一音声情報再生手段と、
上記第一音声情報が再生されている間に第二情報を取得する第二情報入力手段と、
上記第二情報に基づいて第二音声情報を生成する第二音声情報生成手段と、
上記の第一音声情報および第二音声情報を統合して出力する出力音声生成手段とを備え、
上記第一音声情報には区切り位置が付加されており、
上記出力音声生成手段は、上記第二情報入力手段が上記第二情報を取得すると同時に、上記第二音声情報の出力を開始するとともに、上記第一音声情報再生手段による上記第一音声情報の再生を、上記第二情報入力手段による上記第二情報の取得直後の区切り位置まで出力の音量を落して行って中断し、かつ、上記第二音声情報の出力が終了した時点で、上記第二情報の取得直前の区切り位置から再開するものであることを特徴とする情報処理装置。
【請求項２】
上記出力音声生成手段は、上記第二音声情報の出力終了後に、上記第一音声情報再生手段による上記第一音声情報の再生を上記中断前の再生速度よりも高速度で行うものであることを特徴とする請求項１に記載の情報処理装置。
【請求項３】
上記出力音声生成手段は、上記第二音声情報を出力しなかった場合の上記第一音声情報の出力に追いつくまで、上記第一音声情報再生手段による上記第一音声情報の再生を上記高速度で行い、追いついた時点から、上記中断前の再生速度で行うものであることを特徴とする請求項２に記載の情報処理装置。
【請求項４】
上記第二情報入力手段が上記第二情報として電子メールを受信するものであり、
上記第二音声情報生成手段が電子メールの着信を報知する第二音声情報を生成するものであることを特徴とする請求項１から３の何れか１項に記載の情報処理装置。
【請求項５】
第一音声情報を再生する第一音声情報再生手段と、
上記第一音声情報が再生されている間に第二情報を取得する第二情報入力手段と、
上記第二情報に基づいて第二音声情報を生成する第二音声情報生成手段と、
上記の第一音声情報および第二音声情報を統合して出力する出力音声生成手段とを備え、
上記第一音声情報には区切り位置が付加されており、
上記出力音声生成手段は、上記第二情報入力手段が上記第二情報を取得すると、上記第一音声情報再生手段による上記第一音声情報の再生を直後の区切り位置まで行って中断し、その後、上記第二音声情報のみを出力し、上記第二音声情報の出力終了後に、上記第一音声情報再生手段による上記第一音声情報の再生を上記中断位置から再開するとともに、上記中断前の再生速度よりも高速度で行うものであることを特徴とする情報処理装置。
【請求項６】
第一音声情報を再生する第一音声情報再生手段と、
上記第一音声情報が再生されている間に第二情報を取得する第二情報入力手段と、
上記第二情報に基づいて第二音声情報を生成する第二音声情報生成手段と、
上記の第一音声情報および第二音声情報を統合して出力する出力音声生成手段とを備え、
上記第一音声情報には区切り位置が付加されており、
上記出力音声生成手段は、上記第二情報入力手段が上記第二情報を取得すると同時に、上記第一音声情報再生手段による上記第一音声情報の再生を中断して、上記第二音声情報のみを出力し、上記第二音声情報の出力終了後に、上記第一音声情報再生手段による上記第一音声情報の再生を上記中断位置の直前の区切り位置から再開するとともに、上記中断前の再生速度よりも高速度で行うものであることを特徴とする情報処理装置。
【請求項７】
第一音声情報を再生する第一音声情報再生手段と、
上記第一音声情報が再生されている間に第二情報を取得する第二情報入力手段と、
上記第二情報に基づいて第二音声情報を生成する第二音声情報生成手段と、
上記の第一音声情報および第二音声情報を統合して出力する出力音声生成手段とを備え、
上記出力音声生成手段は、上記第二情報入力手段が上記第二情報を取得すると同時に、上記第一音声情報再生手段による上記第一音声情報の再生を中断して、上記第二音声情報のみを出力し、上記第二音声情報の出力終了後に、上記第一音声情報再生手段による上記第一音声情報の再生を上記中断位置から再開するとともに、上記中断前の再生速度よりも高速度で行うものであり、
さらに、上記第二情報入力手段が取得した上記第二情報からテキスト情報を取り出して読み上げることにより、上記第二音声情報を生成する音声化処理手段と、
上記第二情報から取り出されたテキスト情報を翻訳する翻訳処理手段とを備えることを特徴とする情報処理装置。
【請求項８】
第一音声情報を再生する第一音声情報再生手段と、
上記第一音声情報が再生されている間に第二情報を取得する第二情報入力手段と、
上記第二情報に基づいて第二音声情報を生成する第二音声情報生成手段と、
上記の第一音声情報および第二音声情報を統合して出力する出力音声生成手段とを備え、
上記出力音声生成手段は、上記第二情報入力手段が上記第二情報を取得すると同時に、上記第一音声情報再生手段による上記第一音声情報の再生を中断して、上記第二音声情報のみを出力し、上記第二音声情報の出力終了後に、上記第一音声情報再生手段による上記第一音声情報の再生を上記中断位置から再開するとともに、上記中断前の再生速度よりも高速度で行うものであり、
さらに、上記第二情報入力手段が上記第二情報として電子メールを受信するものであり、
上記第二音声情報生成手段が電子メールの差出人を示す音声情報を含む第二音声情報を生成するものであることを特徴とする情報処理装置。
【請求項９】
請求項１から８の何れか１項に記載の情報処理装置を動作させる情報処理プログラムを記録したコンピュータ読み取り可能な記録媒体であって、
上記の各手段をコンピュータに実現させるための情報処理プログラムを記録したコンピュータ読み取り可能な記録媒体。
【請求項１０】
第一音声情報を再生する第一音声情報再生処理と、
上記第一音声情報が再生されている間に第二情報を取得する第二情報入力処理と、
上記第二情報に基づいて第二音声情報を生成する第二音声情報生成処理と、
上記の第一音声情報および第二音声情報を統合して出力する出力音声生成処理とを含み、
上記第一音声情報には区切り位置が付加されており、
上記出力音声生成処理では、上記第二情報入力処理により上記第二情報を取得すると同時に、上記第二音声情報の出力を開始するとともに、上記第一音声情報再生処理による上記第一音声情報の再生を、上記第二情報入力処理による上記第二情報の取得直後の区切り位置まで出力の音量を落して行って中断し、かつ、上記第二音声情報の出力が終了した時点で、上記第二情報の取得直前の区切り位置から再開することを特徴とする情報処理方法。
【請求項１１】
第一音声情報を再生する第一音声情報再生処理と、
上記第一音声情報が再生されている間に第二情報を取得する第二情報入力処理と、
上記第二情報に基づいて第二音声情報を生成する第二音声情報生成処理と、
上記の第一音声情報および第二音声情報を統合して出力する出力音声生成処理とを含み、
上記第一音声情報には区切り位置が付加されており、
上記出力音声生成処理では、上記第二情報入力処理により上記第二情報を取得すると、上記第一音声情報再生処理による上記第一音声情報の再生を直後の区切り位置まで行って中断し、その後、上記第二音声情報のみを出力し、上記第二音声情報の出力終了後に、上記第一音声情報再生処理による上記第一音声情報の再生を上記中断位置から再開するとともに、上記中断前の再生速度よりも高速度で行うことを特徴とする情報処理方法。
【請求項１２】
第一音声情報を再生する第一音声情報再生処理と、
上記第一音声情報が再生されている間に第二情報を取得する第二情報入力処理と、
上記第二情報に基づいて第二音声情報を生成する第二音声情報生成処理と、
上記の第一音声情報および第二音声情報を統合して出力する出力音声生成処理とを含み、
上記第一音声情報には区切り位置が付加されており、
上記出力音声生成処理では、上記第二情報入力処理により上記第二情報を取得すると同時に、上記第一音声情報再生処理による上記第一音声情報の再生を中断して、上記第二音声情報のみを出力し、上記第二音声情報の出力終了後に、上記第一音声情報再生処理による上記第一音声情報の再生を上記中断位置の直前の区切り位置から再開するとともに、上記中断前の再生速度よりも高速度で行うことを特徴とする情報処理方法。
【請求項１３】
第一音声情報を再生する第一音声情報再生処理と、
上記第一音声情報が再生されている間に第二情報を取得する第二情報入力処理と、
上記第二情報に基づいて第二音声情報を生成する第二音声情報生成処理と、
上記の第一音声情報および第二音声情報を統合して出力する出力音声生成処理とを含み、
上記出力音声生成処理では、上記第二情報入力処理により上記第二情報を取得すると同時に、上記第一音声情報再生処理による上記第一音声情報の再生を中断して、上記第二音声情報のみを出力し、上記第二音声情報の出力終了後に、上記第一音声情報再生処理による上記第一音声情報の再生を上記中断位置から再開するとともに、上記中断前の再生速度よりも高速度で行うものであり、
さらに、上記第二情報入力処理により取得した上記第二情報からテキスト情報を取り出して読み上げることにより、上記第二音声情報を生成する音声化処理と、
上記第二情報から取り出されたテキスト情報を翻訳する翻訳処理とを含むことを特徴とする情報処理方法。
【請求項１４】
第一音声情報を再生する第一音声情報再生処理と、
上記第一音声情報が再生されている間に第二情報を取得する第二情報入力処理と、
上記第二情報に基づいて第二音声情報を生成する第二音声情報生成処理と、
上記の第一音声情報および第二音声情報を統合して出力する出力音声生成処理とを含み、
上記出力音声生成処理は、上記第二情報入力処理により上記第二情報を取得すると同時に、上記第一音声情報再生処理による上記第一音声情報の再生を中断して、上記第二音声情報のみを出力し、上記第二音声情報の出力終了後に、上記第一音声情報再生処理による上記第一音声情報の再生を上記中断位置から再開するとともに、上記中断前の再生速度よりも高速度で行うものであり、
さらに、上記第二情報入力処理により上記第二情報として電子メールを受信し、
上記第二音声情報生成処理により電子メールの差出人を示す音声情報含む第二音声情報を生成することを特徴とする情報処理方法。
【発明の詳細な説明】
【０００１】
【発明の属する技術分野】
本発明は、複数の音声情報の出力制御を行う情報処理装置に関し、特に、電子メール受信機能と音楽演奏機能とを備えて音声出力を行う情報処理装置および情報処理方法、ならびに情報処理プログラムを記録したコンピュータ読み取り可能な記録媒体に関するものである。
【０００２】
【従来の技術】
近時、電子メールの爆発的な発展にともない、音声を主な出力情報とする、電話、音楽再生機器などでも電子メール機能が付属するようになってきている。これらの機器では、ユーザはスピーカやヘッドホンからの音声出力を主として用いる。したがって、利用者は機器の表示を常に見ているわけではないため、電子メールの着信メッセージが画面に表示されても、着信情報を得られない場合がある。
【０００３】
そこで、電子メールの受信を表示を見ることなく知る方法として、音声、ビープ音、決められたメロディ等を用いて、メール着信を通知する方法がある。例えば、音楽再生機器において、音楽を聞いている時に、音声、ビープ音、決められたメロディ等によってメール着信を通知する場合を考える。
【０００４】
従来の技術では、電子メールアプリケーションと音楽情報処理アプリケーションとは独立したアプリケーションとして存在している。そのため、スピーカなどの出力デバイスが共用されていたとしても、一方のアプリケーションが音声情報を出力している場合には、他方のアプリケーションでは音声情報を出力できない場合が多い。また、両方のアプリケーションから音声情報を同時に出力できたとしても、制御が独立に行われるため、単純に音声データを合わせたものが出力されることになり（図１７）、場合によってはどちらの音声データも聞き取ることができないという問題がある。
【０００５】
また、異なる出力情報を制御して出力する例として、公開特許公報「特開平５−１８９９４３号公報（公開日：平成５年（１９９３）７月３０日）」の「マルチメディア装置」がある。この公報では、テレビジョン再生部とコンパクトディスク再生部とを備えたマルチメディア装置において、コンパクトディスク再生中にテレビジョンのスイッチが入れられた場合には、テレビジョンの画像とコンパクトディスクの音声とを出力する技術が開示されている。しかし、この公報の技術では、単に出力を切り替えるのみで、テレビジョンの音声情報が欠落してしまうという問題がある。
【０００６】
また、ボイスメールの音声出力を制御する例として、公開特許公報「特開平６−２５０８１５号公報（公開日：平成６年（１９９４）９月９日）」の「ボイスメール端末」がある。この公報では、ボイスメールの無音部を検出して文節や文の区切り位置を検出し、メールの音声出力中に利用者から再生を要求された場合には、直前の無音部分の次の位置から出力を行う技術が開示されている。
【０００７】
そして、放送データの音声出力を制御する別の例として、公開特許公報「特開平９−７４３６５号公報（公開日：平成９年（１９９７）３月１８日）」の「ＦＭ多重受信機」がある。この公報では、ＦＭ多重受信放送を利用して、曲の開始位置と終了位置とに付加情報データを加えて放送されている曲を自動保存し、曲の演奏開始後に利用者が録音を指示しても、曲の冒頭から録音が可能な技術が開示されている。
【０００８】
しかし、上記のボイスメール端末やＦＭ多重受信機では、単一の出力情報（ボイスメール、放送データ）を制御するのみで、複数の出力を制御することはできないという問題がある。
【０００９】
【発明が解決しようとする課題】
上述のように、従来の構成では、音声を主な出力情報とする機器において、利用者が音楽等の音声情報を聞いている際に電子メールの着信メッセージ等の音声情報を出力する場合、両方の音声情報が同時に聞こえて、利用者が判別できない場合がある。
【００１０】
本発明は、上記の問題点を解決するためになされたもので、その目的は、再生中の音声情報と、割込みで出力する音声情報とを共に聴き取り可能に出力することができる情報処理装置および情報処理方法、ならびに情報処理プログラムを記録したコンピュータ読み取り可能な記録媒体を提供することにある。
【００１１】
【課題を解決するための手段】
本発明の情報処理装置は、上記の課題を解決するために、第一音声情報を再生する第一音声情報再生手段と、上記第一音声情報が再生されている間に第二情報を取得する第二情報入力手段と、上記第二情報に基づいて第二音声情報を生成する第二音声情報生成手段と、上記の第一音声情報および第二音声情報を統合して出力する出力音声生成手段と、を備えていることを特徴としている。
【００１２】
上記の構成により、第二情報入力手段が第二情報を取得すると、第二音声情報生成手段が第二情報に基づいて第二音声情報を生成し、出力音声生成手段が第一音声情報と第二音声情報とを統合して出力する。
【００１３】
よって、２つの音声情報、すなわち定常的に再生される第一音声情報と、不定期に割り込みされる第二音声情報とを統合して、共に聴き取り可能に同一の音声出力装置に出力することが可能となる。したがって、第一音声情報の再生中であっても、第二情報の取得の報知や第二情報の内容などの第二情報に関する情報を音声情報の形式で出力できる。
【００１４】
例えば、第一音声情報である音楽の演奏中に、第二情報である電子メールが着信した場合、その電子メールに関する音声データを第二音声情報として生成し、音楽と統合して共に出力できる。それゆえ、利用者は、音楽演奏に邪魔されることなく、電子メールの着信メッセージを聞くことができる。
【００１５】
本発明の情報処理装置は、上記の課題を解決するために、さらに、上記出力音声生成手段は、上記第二情報入力手段が上記第二情報を取得すると同時に、上記第一音声情報再生手段による上記第一音声情報の再生を中断して、上記第二音声情報のみを出力するものであることを特徴としている。
【００１６】
上記の構成により、さらに、第二情報の取得時に、第一音声情報の再生を停止して、第二音声情報のみを出力することができる。よって、第二情報に関する第二音声情報を、再生中の第一音声情報に邪魔されることなく聞き取ることができる。
【００１７】
例えば、音楽演奏中に電子メールの着信があった場合に、演奏中の曲を中断して電子メール着信を知らせる音声情報を出力できる。それゆえ、利用者は、電子メールの着信を知らせる音声情報を、音楽演奏に邪魔されることなく聞くことができる。
【００１８】
本発明の情報処理装置は、上記の課題を解決するために、さらに、上記第一音声情報には区切り位置が付加されており、上記出力音声生成手段は、上記第二情報入力手段が上記第二情報を取得すると、上記第一音声情報再生手段による上記第一音声情報の再生を直後の区切り位置まで行って中断し、その後、上記第二音声情報のみを出力するものであることを特徴としている。
【００１９】
上記の構成により、さらに、第二情報の取得時に、第一音声情報を区切りまで再生し、その後第二音声情報のみを出力することができる。よって、第一音声情報を中断されずに聞くことができるとともに、第二情報に関する第二音声情報を、再生中の第一音声情報に邪魔されることなく聞き取ることができる。
【００２０】
例えば、音楽演奏中に電子メールの着信があった場合に、演奏中の曲の再生が終了した段階で電子メール着信を知らせる音声情報を出力できる。それゆえ、利用者は、演奏中の曲を中断されることなく聞き、その後電子メールの着信を知らせる音声情報を音楽演奏に邪魔されることなく聞くことができる。
【００２１】
本発明の情報処理装置は、上記の課題を解決するために、さらに、上記出力音声生成手段は、上記第二音声情報の出力終了後に、上記第一音声情報再生手段による上記第一音声情報の再生を上記中断位置から再開するものであることを特徴としている。
【００２２】
上記の構成により、さらに、第二情報の取得時に直ちにあるいは直後の区切りで、第一音声情報の再生を停止して、第二音声情報のみを出力し、その後第一音声情報の再生を続行することができる。
【００２３】
よって、第一音声情報の再生を第二情報の取得と同時に中断した場合、第二情報に関する第二音声情報を、第二情報の取得時に直ちに、再生中の第一音声情報に邪魔されることなく聞き取ることができるとともに、その後、第一音声情報の続きを聞くことができる。また、第一音声情報の再生を第二情報の取得直後の区切り位置で中断した場合、第二情報に関する第二音声情報を、第一音声情報を直後の区切りまで聞いた後、再生中の第一音声情報に邪魔されることなく聞き取ることができるとともに、その後、第一音声情報を区切りの冒頭から聞くことができる。
【００２４】
例えば、音楽演奏中に電子メールの着信があった場合に、演奏中の曲を直ちにあるいは直後の区切りで中断して電子メールの着信を知らせる音声情報を出力し、その後音楽演奏を中断位置から再開することができる。それゆえ、利用者は、電子メールの着信を知らせる音声情報を音楽演奏に邪魔されることなく聞いた後に、音楽演奏の残りを聞くことができる。
【００２５】
本発明の情報処理装置は、上記の課題を解決するために、さらに、上記第一音声情報には区切り位置が付加されており、上記出力音声生成手段は、上記第二音声情報の出力終了後に、上記第一音声情報再生手段による上記第一音声情報の再生を上記中断位置の直前の区切り位置から再開するものであることを特徴としている。
【００２６】
上記の構成により、さらに、第二情報の取得時に、第一音声情報の再生を停止して、第二音声情報のみを出力し、その後再生を中断した位置の直前の区切り位置から第一音声情報を再生することができる。よって、第二情報に関する第二音声情報を、第二情報の取得時に直ちに、再生中の第一音声情報に邪魔されることなく聞き取ることができるとともに、その後、第一音声情報を中断位置の直前の区切り位置から聞き直すことができる。
【００２７】
例えば、音楽演奏中に電子メールの着信があった場合に、演奏中の曲を中断して電子メールの着信を知らせる音声情報を出力し、その後音楽演奏を中断した曲の冒頭から再開することができる。それゆえ、利用者は、電子メールの着信を知らせる音声情報を音楽演奏に邪魔されることなく聞いた後に、中断された曲を最初から聞き直すことができる。
【００２８】
本発明の情報処理装置は、上記の課題を解決するために、さらに、上記出力音声生成手段は、上記第二音声情報の出力終了後に、上記第一音声情報再生手段による上記第一音声情報の再生を上記中断前の再生速度よりも高速度で行うものであることを特徴としている。
【００２９】
上記の構成により、さらに、第二情報の取得時に直ちにあるいは直後の区切りで、第一音声情報の再生を停止して、第二音声情報のみを出力し、その後第一音声情報の再生を中断前の再生速度よりも高速度で続行することができる。
【００３０】
よって、第一音声情報の再生を第二情報の取得と同時に中断した場合、第二情報に関する第二音声情報を、第二情報の取得時に直ちに、再生中の第一音声情報に邪魔されることなく聞き取ることができるとともに、その後、第一音声情報の続きを早回しで聞くことができる。また、第一音声情報の再生を第二情報の取得直後の区切り位置で中断した場合、第二情報に関する第二音声情報を、第一音声情報を直後の区切りまで聞いた後、再生中の第一音声情報に邪魔されることなく聞き取ることができるとともに、その後、第一音声情報を区切りの冒頭から早回しで聞くことができる。
【００３１】
例えば、音楽演奏中に電子メールの着信があった場合、演奏中の曲を直ちにあるいは直後の区切り位置で中断して電子メールの着信を知らせる音声情報を出力し、その後音楽演奏を中断位置から早回しで再開できる。それゆえ、利用者は、電子メールの着信を知らせる音声情報を音楽演奏に邪魔されることなく聞いた後に、その音声情報を聞いたために遅れていた音楽情報を、早回しで聞くことができる。
【００３２】
本発明の情報処理装置は、上記の課題を解決するために、さらに、上記出力音声生成手段は、上記第二音声情報を出力しなかった場合の上記第一音声情報の出力に追いつくまで、上記第一音声情報再生手段による上記第一音声情報の再生を上記高速度で行い、追いついた時点から、上記中断前の再生速度で行うものであることを特徴としている。
【００３３】
上記の構成により、さらに、第二情報の取得時に直ちにあるいは直後の区切りで、第一音声情報の再生を停止して、第二音声情報のみを出力し、その後第一音声情報の再生を中断前の再生速度よりも高速度で再開し、当初の再生スケジュールに追いついた時点で中断前の再生速度に戻すことができる。
【００３４】
よって、第一音声情報の再生を第二情報の取得と同時に中断した場合、第二情報に関する第二音声情報を、第二情報の取得時に直ちに、再生中の第一音声情報に邪魔されることなく聞き取ることができるとともに、その後、第一音声情報の続きを早回しで聞くことができる。また、第一音声情報の再生を第二情報の取得直後の区切り位置で中断した場合、第二情報に関する第二音声情報を、第一音声情報を直後の区切りまで聞いた後、再生中の第一音声情報に邪魔されることなく聞き取ることができるとともに、その後、第一音声情報を区切りの冒頭から早回しで聞くことができる。さらに、上記第二音声情報を出力しなかった場合の上記第一音声情報の出力に追いついた時点で、中断前の再生速度に戻すことで、早回しの期間を第二音声情報を聞いたために遅れた分を取り戻す期間に限定することができる。
【００３５】
例えば、音楽演奏中に電子メールの着信があった場合、演奏中の曲を直ちにあるいは直後の区切りで中断して電子メール着信を知らせる音声情報を出力し、その後音楽演奏を中断位置から早回しで再開できる。加えて、早回しでの再生を、中断が行われなかった場合の演奏時間に追いついた時点で、標準速度での再生に戻すことができる。それゆえ、利用者は、電子メールの着信を知らせる音声情報を音楽演奏に邪魔されることなく聞くことができるとともに、早回しの期間を音声情報を聞いたために遅れた分を取り戻す期間に限定することができる。
【００３６】
本発明の情報処理装置は、上記の課題を解決するために、さらに、上記出力音声生成手段は、上記第二情報入力手段が上記第二情報を取得すると同時に、上記第一音声情報の出力の音量を落として、上記第二音声情報と合わせた音声情報を出力し、該第二音声情報の出力が終了した時点で、上記第一音声情報の出力の音量を元に戻すものであることを特徴としている。
【００３７】
上記の構成により、さらに、第二情報の取得時に再生中の第一音声情報の音量を落とし、第一音声情報と第二音声情報とを同時に出力し、第二音声情報の出力終了時に第一音声情報の出力の音量を元に戻することが可能となる。よって、第二音声情報の出力中のみ第一音声情報の音量を落とすため、第二音声情報を明瞭に聞き取ることができるとともに、第一音声情報を中断なく再生することができる。
【００３８】
例えば、音楽演奏中に電子メールの着信があった場合、演奏中の曲の音量を落として電子メール着信を知らせる音声情報を出力できる。それゆえ、利用者は、音楽演奏を中断することなく電子メールの着信を知らせる音声情報を、明瞭に聞くことができる。
【００３９】
本発明の情報処理装置は、上記の課題を解決するために、さらに、上記第一音声情報には区切り位置が付加されており、上記出力音声生成手段は、上記第一音声情報再生手段による上記第一音声情報の再生を、上記第二情報入力手段による上記第二情報の取得直後の区切り位置まで行って中断し、上記第二音声情報の出力が終了した時点で再開するものであることを特徴としている。
【００４０】
上記の構成により、さらに、第二情報の取得時に再生中の第一音声情報の音量を落とし、第一音声情報と第二音声情報とを同時に出力し、第一音声情報の再生は直後の区切りで一旦停止し、第二音声情報の出力終了時に第一音声情報の再生を音量を元に戻して再開することが可能となる。よって、第二音声情報の出力中のみ第一音声情報の音量を落とすため、第二音声情報を明瞭に聞き取ることができる。加えて、第一音声情報の直後の区切り以降は第二音声情報のみが出力されるため、より明瞭に聞き取ることができる。
【００４１】
例えば、音楽演奏中に電子メールの着信があった場合、演奏中の曲の音量を落として電子メールの着信を知らせる音声情報を出力するとともに、演奏中の曲の演奏が終了した時点で音楽演奏を中断することができる。それゆえ、曲の演奏を中断することなく電子メールの着信を知らせる音声情報を明瞭に聞くことができる。また、演奏終了後には、電子メール着信を知らせる音声情報をさらに明瞭に聞くことができる。
【００４２】
本発明の情報処理装置は、上記の課題を解決するために、さらに、上記第一音声情報には区切り位置が付加されており、上記出力音声生成手段は、上記第二情報入力手段が上記第二情報を取得すると同時に、上記第二音声情報の出力を開始するとともに、上記第一音声情報再生手段による上記第一音声情報の再生を、上記第二情報入力手段による上記第二情報の取得直後の区切り位置まで行って中断し、かつ、上記第二音声情報の出力が終了した時点で、上記第二情報の取得直前の区切り位置から再開するものであることを特徴としている。
【００４３】
上記の構成により、さらに、第二情報の取得時に、第一音声情報と第二音声情報とを同時に出力し、第一音声情報の再生は直後の区切りで一旦停止し、第二音声情報の出力終了時に第一音声情報の再生を直前の区切り位置から再開することが可能となる。よって、第二情報の取得後直ちに第二音声情報を聞くことができる。また、第一音声情報の直後の区切り以降は第二音声情報のみが出力されるため、第二音声情報を明瞭に聞き取ることができる。加えて、中断された第一音声情報を直前の区切り位置から聞き直すことができる。
【００４４】
例えば、音楽演奏中に電子メールの着信があった場合、演奏中の曲の演奏が終了するまでの間は音楽演奏と電子メールの着信を知らせる音声情報との両方を出力し、演奏中の曲の演奏が終了した後は、電子メールの着信を知らせる音声情報のみを出力することができる。それゆえ、利用者は、曲の演奏を中断することなく電子メールの着信を知らせる音声情報を聞くことができ、曲の演奏終了後には、この音声情報を明瞭に聞くことができ、この音声情報の終了後には、曲を再度明瞭に聞き直すことができる。
【００４５】
本発明の情報処理装置は、上記の課題を解決するために、さらに、上記出力音声生成手段は、上記第二情報入力手段が上記第二情報を取得した時点から上記第二音声情報の出力が終了する時点まで、上記第一音声情報の出力の音量を落とすものであることを特徴としている。
【００４６】
上記の構成により、さらに、第二情報の取得時に、第二情報の取得時点から第二音声情報の再生終了時点まで、第一音声情報を音量を落として出力できる。よって、第一音声情報を直後の区切りまで中断なく出力することができる。また、第二音声情報の出力中のみ第一音声情報の音量を落とすため、第二音声情報を明瞭に聞き取ることができる。加えて、第一音声情報の直後の区切り以降は第二音声情報のみが出力されるため、より明瞭に聞き取ることができる。
【００４７】
例えば、音楽演奏中に電子メールの着信があった場合、電子メールの着信から演奏中の曲の演奏が終了するまでの間の音楽演奏を、音量を落として行うことができる。それゆえ、利用者は、曲の演奏を中断されることなく、電子メールの着信を知らせる音声情報を明瞭に聞くことができる。
【００４８】
本発明の情報処理装置は、上記の課題を解決するために、さらに、上記出力音声生成手段は、複数の出力チャンネルを有し、上記第二音声情報を出力する際、上記出力チャンネルの少なくとも１つによって、上記第二音声情報のみを出力するものであることを特徴としている。
【００４９】
上記の構成により、さらに、第一音声情報を複数の出力チャンネルを用いて再生している状態において、第二情報の取得時に、出力チャンネルの少なくとも１つを第二音声情報のみを出力する専用チャンネルに割り当てることができる。よって、第一音声情報および第二音声情報を別々のチャンネルから出力することができるため、それぞれを明瞭に聞き取り可能であるように出力できる。
【００５０】
例えば、音楽演奏中に電子メールの着信があった場合、ステレオ演奏中の曲をモノラルにしてＲ音声（あるいはＬ音声）から出力するとともに、電子メールの着信を知らせる音声情報をモノラルにしてＬ音声（あるいはＲ音声）から出力して、２つの音声情報を合わせてステレオ出力とすることができる。それゆえ、利用者は、音楽演奏と電子メールの着信を知らせる音声情報とが左右の音声から別々に出力されるため、明瞭に聞き分けることができる。
【００５１】
本発明の情報処理装置は、上記の課題を解決するために、さらに、上記出力音声生成手段は、上記第二音声情報を出力する際、上記第二音声情報のみを出力する上記出力チャンネルに割り当てられていた上記第一音声情報を他の出力チャンネルの第一音声情報と合成するものであることを特徴としている。
【００５２】
上記の構成により、さらに、第一音声情報を複数の出力チャンネルを用いて再生している状態において、第二情報の取得時に、出力チャンネルの少なくとも１つを第二音声情報のみを出力する専用チャンネルに割り当てることができる。そして、第二音声情報の専用チャンネルに割り当てられた出力チャンネルで出力するはずであった第一音声情報を他の出力チャンネルの第一音声情報と合成して出力できる。よって、第一音声情報および第二音声情報を別々のチャンネルから出力することができるため、それぞれを明瞭に聞き取り可能であるように出力できる。加えて、第二音声情報の出力中も、すべての出力チャンネルの第一音声情報を出力することができる。
【００５３】
例えば、音楽演奏中に電子メールの着信があった場合、ステレオ演奏中の曲のＲ音声とＬ音声とをモノラルに合成した音声をＲ音声（あるいはＬ音声）から出力するとともに、電子メールの着信を知らせる音声情報をモノラルにしてＬ音声（あるいはＲ音声）から出力して、２つの音声情報を合わせてステレオ出力とすることができる。それゆえ、利用者は、音楽演奏と電子メールの着信を知らせる音声情報とが左右の音声から別々に出力されるため、明瞭に聞き分けることができる。また、Ｌ音声あるいはＲ音声の片方では意味をなさない音楽演奏であっても、モノラルに合成した音声を一方の音声に出力するため、意味のある音楽情報を電子メール着信を知らせる音声情報と同時に再生することができる。
【００５４】
本発明の情報処理装置は、上記の課題を解決するために、さらに、上記第二情報入力手段が取得した上記第二情報から音声情報を取り出して、上記第二音声情報を生成する音声情報抽出手段を備えていることを特徴としている。
【００５５】
上記の構成により、さらに、第二情報の取得時に、音声情報抽出手段が抽出した第二情報に含まれる音声情報を第二音声情報として出力できる。よって、第二情報の内容の確認が容易となる。
【００５６】
例えば、音楽演奏中に電子メールの着信があった場合、電子メールの着信を知らせるために、電子メールに含まれる音声メッセージを直接出力することができる。それゆえ、利用者は、電子メールの内容を音声情報によって容易に確認することができる。
【００５７】
本発明の情報処理装置は、上記の課題を解決するために、さらに、上記第二情報入力手段が取得した上記第二情報からテキスト情報を取り出して読み上げることにより、上記第二音声情報を生成する音声化処理手段を備えていることを特徴としている。
【００５８】
上記の構成により、さらに、第二情報の取得時に、音声化処理手段が抽出して音声化した第二情報に含まれるテキスト情報を第二音声情報として出力できる。よって、テキスト情報で記載された第二情報の内容の確認が容易となる。
【００５９】
例えば、音楽演奏中に電子メールの着信があった場合、電子メールの着信を知らせるために、電子メールに含まれるテキスト情報を音声情報に変換して出力することができる。それゆえ、利用者は、テキスト情報で記載されている電子メールの内容を音声情報によって容易に確認することができる。
【００６０】
本発明の情報処理装置は、上記の課題を解決するために、さらに、上記第二情報から取り出されたテキスト情報を翻訳する翻訳処理手段を備えていることを特徴としている。
【００６１】
上記の構成により、さらに、第二情報の取得時に、音声化処理手段が抽出した第二情報に含まれるテキスト情報を、翻訳処理手段で翻訳することができる。よって、第二情報に含まれるテキスト情報を適当な言語に変換して音声情報で出力できるため、第二情報の内容の確認がより容易となる。
【００６２】
例えば、音楽演奏中に電子メールの着信があった場合、電子メールの着信を知らせるために、電子メールに含まれるテキスト情報を音声情報に変換して出力することができる。この際、第二情報で使用されている言語を判別し、利用者が使用している言語と異なる場合には、利用者が使用する言語に翻訳した後、第二音声情報に変換することができる。それゆえ、利用者は、使用しない言語によるテキスト情報で記載されている電子メールであっても、その内容を音声情報によって容易に確認することができる。
【００６３】
本発明の情報処理装置は、上記の課題を解決するために、さらに、上記第二情報入力手段が上記第二情報として電子メールを受信するものであり、上記第二音声情報生成手段が電子メールの着信を報知する第二音声情報を生成するものであることを特徴としている。
【００６４】
上記の構成により、さらに、第一音声情報の再生中に、第二情報である電子メールが着信した場合、その電子メールの着信を知らせる効果音、メロディ、メッセージ等を第二音声情報として生成し、第一音声情報と統合して出力することができる。よって、定常的に再生される第一音声情報と、不定期に割り込みされる電子メール着信を報知する第二音声情報とを統合して、共に聴き取り可能に同一の音声出力装置に出力することが可能となる。したがって、第一音声情報の再生中であっても、電子メール着信の報知を音声情報の形式で出力できる。
【００６５】
例えば、音楽演奏中に電子メールの着信があった場合、電子メールの着信を知らせるために、効果音、メロディ、メッセージ等を生成し、演奏中の音楽と統合して出力することができる。それゆえ、利用者は、音楽演奏に邪魔されることなく、電子メールの着信メッセージを聞くことができる。
【００６６】
本発明の情報処理プログラムを記録したコンピュータ読み取り可能な記録媒体は、上記の課題を解決するために、上記の情報処理装置を動作させる情報処理プログラムを記録したコンピュータ読み取り可能な記録媒体であって、上記の各手段をコンピュータに実現させるための情報処理プログラムを記録したコンピュータ読み取り可能な記録媒体であることを特徴としている。
【００６７】
上記の構成により、上記情報処理装置の各手段を実現するためのプログラムを記録することができる。したがって、上記情報処理プログラムを記録したコンピュータ読み取り可能な記録媒体は、それが利用される情報処理装置とは独立して取引され、市場を流通させることが可能となる。
【００６８】
本発明の情報処理方法は、上記の課題を解決するために、第一音声情報を再生する第一音声情報再生処理と、上記第一音声情報が再生されている間に第二情報を取得する第二情報入力処理と、上記第二情報に基づいて第二音声情報を生成する第二音声情報生成処理と、上記の第一音声情報および第二音声情報を統合して出力する出力音声生成処理と、を含んでいることを特徴としている。
【００６９】
上記の方法により、第二情報入力処理にて第二情報を取得すると、第二音声情報生成処理にて第二情報に基づいて第二音声情報を生成し、出力音声生成処理にて第一音声情報と第二音声情報とを統合して出力する。
【００７０】
よって、２つの音声情報、すなわち定常的に再生される第一音声情報と、不定期に割り込みされる第二音声情報とを統合して、共に聴き取り可能に同一の音声出力装置に出力することが可能となる。したがって、第一音声情報の再生中であっても、第二情報の取得の報知や第二情報の内容などの第二情報に関する情報を音声情報の形式で出力できる。
【００７１】
例えば、第一音声情報である音楽の演奏中に、第二情報である電子メールが着信した場合、その電子メールに関する音声データを第二音声情報として生成し、音楽と統合して共に出力できる。それゆえ、利用者は、音楽演奏に邪魔されることなく、電子メールの着信メッセージを聞くことができる。
【００７２】
【発明の実施の形態】
〔実施の形態１〕
以下の実施の形態１〜１２に係る情報処理装置１０は、図１に示すように、音声情報入力部１３から入力された音楽情報を音声情報制御部２６で再生して、音声情報出力部１４より出力するものである。そして、音楽情報の再生の間、通信入力部１２で電子メールを受信して、そのことを利用者に音声情報として報知する必要が生じると、電子メール制御部２４において音声情報である電子メール情報を生成する。音声情報制御部２６からの音楽情報と、電子メール制御部２４からの電子メール情報とは、音声情報出力統合部２７において統合される。この統合は、音楽情報を停止する位置、音楽情報を再開する位置、電子メール情報出力中の音楽情報の音量、音楽情報再開後の再生速度等の設定を組み合わせて行う。また、電子メール情報には、着信音や着信メッセージ、電子メールから抽出した音声データ、電子メールから抽出したテキストデータを読み上げた音声データ等を利用できる。これにより、上記情報処理装置１０は、再生中の音声情報と、割込みで出力する音声情報とを共に聴き取り可能に出力することができる。
【００７３】
図１は、上記情報処理装置１０の構成の概略を示す機能ブロック図である。
【００７４】
上記情報処理装置１０は、情報処理部１１、通信入力部（第二情報入力手段）１２、音声情報入力部１３、音声情報出力部１４を備えて構成されている。
【００７５】
上記通信入力部１２は、通信ネットワークに接続されており、情報処理装置１０の外部とデータ通信を行い、情報処理部１１に電子メール等のデータ（第二情報）を入力する。具体的には、通信入力部１２は、モデム、ＬＡＮ、接続ケーブルなどの有線通信や、電波、赤外線、携帯電話、ＰＨＳなどの無線通信などの通信装置によって構成されている。
【００７６】
上記音声情報入力部１３は、音楽などの音声情報を取得して情報処理部１１に入力する。具体的には、音声情報入力部１３は、記録担体に記録された音声データを読み取る読取装置、放送された音声データを取得する放送受信装置、通信された音声データを受け取る通信装置などで構成されている。なお、音声情報入力部１３は、必ずしも情報処理装置１０の外部にある必要はなく、情報処理装置１０の内部のメモリなどで構成されていてもよい。
【００７７】
また、入力される音声データは、音楽に限らず、広く音声データが利用できる。さらに、放送された音声データとしては、テレビやラジオ放送、無線局からの電波、有線放送、ネットワークを利用した放送などによって入力される音声データが考えられる。通信された音声データとしては、モデム、ＬＡＮ、接続ケーブルなどの有線通信や、電波、赤外線、携帯電話、ＰＨＳなどの無線通信などによる入力がある。
【００７８】
上記音声情報出力部１４は、情報処理部１１で処理された音声データを情報処理装置１０の外部へ出力する。具体的には、音声情報出力部１４は、スピーカやヘッドホンなどによって構成される。なお、音声データは、通信を介して他の情報処理装置へ出力してもよいし、何らかの記録担体に記録してもよい。
【００７９】
上記情報処理部１１は、情報処理装置１０での情報処理を行う。そして、情報処理部１１は、通信入力処理部２１、電子メール処理部２２、電子メール保持部２３、電子メール制御部（第二音声情報生成手段）２４、音声情報入力処理部２５、音声情報制御部（第一音声情報再生手段）２６、音声情報出力統合部（出力音声生成手段）２７、音声情報出力処理部２８を備えて構成されている。さらに、情報処理部１１は、着信メッセージ処理部３１、音声情報抽出部（音声情報抽出手段）３４、音声化処理部（音声化処理手段）３２、翻訳処理部（翻訳処理手段）３３が必要に応じて付加される。具体的には、情報処理部１１は、メモリ上の所定プログラムをＣＰＵ（central processing unit ）等が実行することにより実現された上記の各部位を連係することによって構成される。
【００８０】
上記通信入力処理部２１は、通信入力部１２に接続され、情報処理装置１０の外部からの通信データを入力する。
【００８１】
上記電子メール処理部２２は、通信入力処理部２１で受信したデータから電子メール情報を取り出す。このとき、電子メール処理部２２は、受信した電子メールをすぐに処理できない場合、電子メール保持部２３に一旦保持する。
【００８２】
上記電子メール制御部２４は、電子メールの処理のうち音声データ（第二音声情報）の出力処理を制御する。電子メールの音声出力処理には、いくつかの方法が考えられる。
【００８３】
第一に、電子メールそのものを出力するのではなく、着信を知らせる音声データを出力する方法がある。この場合の出力データとしては、ビープ音などの着信音であってもよいし、音声メッセージ（「メールが到着しました」など）であってもよい。データベース上のアドレス帳と連動して、差出人アドレスから差出人を特定し、誰からのメールであるかを音声メッセージで流してもよい（「○○さんからのメールが到着しました」など）。なお、着信を知らせる音声データは、上記着信メッセージ処理部３１にて作成される。
【００８４】
第二に、電子メールに含まれる音声データを出力する方法がある。上記音声情報抽出部３４にて、電子メールに添付されたファイルから音声ファイルを検出して取り出し、これを出力音声データとする。ここで、電子メールに複数の音声ファイルが含まれる場合、音声ファイルを格納順にすべて出力してもよいし、あらかじめ定められた音声ファイル（先頭のファイルや最後のファイルなど）のみを出力してもよい。
【００８５】
第三に、電子メールで送られてきたテキスト情報を音声化する方法がある。上記音声化処理部３２にて、電子メールからテキスト情報を取りだし、音声情報に変換する（読みあげる）。このとき、上記翻訳処理部３３を介することにより、例えば英語で書かれたテキスト情報を日本語に変換し、日本語で読みあげる処理も可能である。
【００８６】
なお、電子メール制御部２４の制御により、上記の方法を組み合わせて実行することができる。また、ディスプレイのない携帯型機器等で電子メールの着信のみ、あるいは、タイトルや概要のみを聞いた後、ディスプレイを備えたパーソナルコンピュータ等で電子メールの全文を読み直すこともできる。このように、上記情報処理装置１０はディスプレイのない機器にも適用可能である。また、翻訳処理部３３を用いてテキスト情報を翻訳して出力する際、翻訳前のテキスト情報と翻訳後のテキスト情報とをＬ音声とＲ音声とで同時に出力したり、あるいは、翻訳後の音声再生につづいて翻訳前の音声再生を出力することもできる。これにより、慣れない言語による音声がいきなり流れてきても聴き取れないが、同時にあるいはあらかじめ日本語に翻訳した音声を出力することにより、概要が分かり聴き取り易くなる。
【００８７】
上記音声情報入力処理部２５は、音声情報入力部１３に接続され、音楽などの音声情報を入力する。
【００８８】
上記音声情報制御部２６は、音声情報入力処理部２５にて入力された音声データを出力用の音声データ（第一音声情報）に再生（調整）する。
【００８９】
上記音声情報出力統合部２７は、電子メール制御部２４からの音声データと、音声情報制御部２６からの音声データとを受け取り、各種の出力制御を行う。この出力制御には、電子メール制御部２４および音声情報制御部２６に対する制御も含まれる。なお、この出力制御に関しては、後に詳細に説明する。
【００９０】
上記音声情報出力処理部２８は、音声情報出力統合部２７から出力制御されて統合された音声データを受け取り、接続されている音声情報出力部１４から出力する。
【００９１】
つぎに、図２を参照して、上記情報処理装置１０の処理フローを説明する。なお、以下の説明では音声情報入力部１３から音楽情報が入力される場合について説明する。
【００９２】
ステップＳ１では、音楽情報が音声情報入力処理部２５から入力され、音声情報制御部２６で処理されて、音声情報出力統合部２７に渡される。
【００９３】
ステップＳ２（第一音声情報再生処理）では、音声情報出力統合部２７に対して電子メール制御部２４からの指示がない状態では、音声情報制御部２６からの入力がそのまま音声情報出力処理部２８に渡され、音楽情報の再生が行われる。
【００９４】
ステップＳ３（第二情報入力処理）では、音楽情報の再生の間、電子メールの着信を監視する。電子メールの着信は、通信入力処理部２１から受けた通信データを電子メール処理部２２において解析して検出する。そして、電子メールの着信がない場合（ＮＯ）にはステップＳ７へ、着信がある場合（ＹＥＳ）にはステップＳ４へそれぞれ進む。
【００９５】
ここで、ステップＳ４（第二音声情報生成処理）では、ステップＳ３で電子メールの着信が検出された場合、電子メール制御部２４において電子メールに関する出力情報を作成して、音声情報出力統合部２７へ渡す。具体的には、電子メール処理部２２から直接渡されたデータあるいは電子メール保持部２３に一旦蓄積されたデータを基に、加工を施す。
【００９６】
具体的な加工としては、例えば着信メッセージ処理部３１において着信音や着信メロディー、あるいは発信者名を含む着信メッセージ等の音声情報を生成する。また、音声情報抽出部３４において、電子メールから音声情報を取り出して、音声情報を生成する。また、音声化処理部３２において、電子メールに含まれるテキストデータを読みあげて音声情報とする。このとき、翻訳処理部３３において、例えば英語から日本語への翻訳などの処理を行ってもよい。
【００９７】
ステップＳ５（出力音声生成処理）では、音声情報出力統合部２７において、音声情報制御部２６から渡される音楽情報と、電子メール制御部２４から渡される電子メールに関する出力情報との統合処理を行う。なお、この音声出力の統合処理に関しては、後に詳細に説明する。
【００９８】
ステップＳ６では、ステップＳ５で統合された音声出力情報を、音声情報出力処理部２８において音声データとして出力する。そして、電子メールに関する音声情報の出力が終わった段階で、ステップＳ７に進む。
【００９９】
つづいて、ステップＳ７において、音声情報入力部１３から入力された音楽情報の出力が終了したか否かを判断し、音楽情報の出力が終了した場合（ＹＥＳ）には処理を終了する。一方、音楽情報の出力が終了していない場合（ＮＯ）には、ステップＳ２に戻って音楽情報の再生処理を続行する。このとき、別の電子メールの着信があった場合には、電子メールに関する出力情報との統合処理を同様に行う（Ｓ３〜Ｓ６）。
【０１００】
ここで、図１から図３を参照しながら、本発明の一実施の形態に係る情報処理装置１０（図１）の音声情報出力統合部２７において行われる、音声情報制御部２６から渡される音声データと、電子メール制御部２４から渡される電子メールに関する出力情報との統合処理（図２のＳ５）による出力制御の例について説明する。
【０１０１】
本実施の形態に係る情報処理装置１０は、電子メール到着時に、再生中の音楽情報を停止して、電子メールに関する音声情報を出力する。
【０１０２】
すなわち、図３に示すように、音楽情報として「曲１，曲２，曲３」を連続して再生するスケジュールであったのに対して、「曲１」の再生中に電子メールが到着した場合、「曲１」の再生を停止し、電子メールに関する音声情報を出力する。なお、再生のスケジュールおよび停止位置を記憶することにより、電子メールに関する音声情報の出力終了後、ユーザの指示により、「曲１」の停止位置または「曲１」の冒頭から「曲１，曲２，曲３」の連続再生を再開することができる。
【０１０３】
以上のように、本実施の形態に係る情報処理装置によれば、音楽演奏中に電子メール着信があった場合に、演奏中の曲を中断して電子メール着信を知らせる音声情報を出力することができる。これにより、電子メールの着信を知らせる音声情報を音楽演奏に邪魔されることなく聞くことができる。
【０１０４】
〔実施の形態２〕
本発明の他の実施の形態について図１，図２，図４に基づいて説明すれば、以下のとおりである。なお、説明の便宜上、前記の実施の形態１において示した部材と同一の機能を有する部材には、同一の符号を付し、その説明を省略する。また、前記の実施の形態１において定義した用語については、特に断らない限り本実施の形態においてもその定義に則って用いるものとする。
【０１０５】
図１，図２，図４を参照しながら、本実施の形態に係る情報処理装置１０（図１）の音声情報出力統合部２７において行われる、音声情報制御部２６から渡される音声データと、電子メール制御部２４から渡される電子メールに関する出力情報との統合処理（図２のＳ５）による出力制御の例について説明する。なお、電子メール到着時に出力する音声データについては前述のとおりである。
【０１０６】
本実施の形態に係る情報処理装置１０は、電子メール到着時に、再生中の音楽情報を停止して電子メールに関する音声情報を出力し、その後音楽情報の再生を続行する。
【０１０７】
すなわち、図４に示すように、音楽情報として「曲１，曲２，曲３」を連続して再生するスケジュールであったのに対して、「曲１」の再生中に電子メールが到着した場合、「曲１」の再生を停止し、電子メールに関する音声情報を出力する。そして、電子メールに関する音声情報の出力終了後に、「曲１」の残りの部分を再生し、つづいて「曲２，曲３」を再生する。
【０１０８】
以上のように、本実施の形態に係る情報処理装置によれば、音楽演奏中に電子メール着信があった場合に、演奏中の曲を中断して電子メール着信を知らせる音声情報を出力し、その後音楽演奏を中断位置から再開することができる。これにより、電子メールの着信を知らせる音声情報を音楽演奏に邪魔されることなく聞いた後に、音楽演奏の残りを聞くことができる。
【０１０９】
〔実施の形態３〕
本発明のさらに他の実施の形態について図１，図２，図５に基づいて説明すれば、以下のとおりである。なお、説明の便宜上、前記の実施の形態１において示した部材と同一の機能を有する部材には、同一の符号を付し、その説明を省略する。また、前記の実施の形態１において定義した用語については、特に断らない限り本実施の形態においてもその定義に則って用いるものとする。
【０１１０】
図１，図２，図５を参照しながら、本実施の形態に係る情報処理装置１０（図１）の音声情報出力統合部２７において行われる、音声情報制御部２６から渡される音声データと、電子メール制御部２４から渡される電子メールに関する出力情報との統合処理（図２のＳ５）による出力制御の例について説明する。なお、電子メール到着時に出力する音声データについては前述のとおりである。
【０１１１】
本実施の形態に係る情報処理装置１０は、電子メール到着時に、再生中の音楽情報を停止して電子メールに関する音声情報を出力し、その後演奏停止した曲の冒頭から音楽情報の再生を続行する。
【０１１２】
すなわち、図５に示すように、音楽情報として「曲１，曲２，曲３」を連続して再生するスケジュールであったのに対して、「曲１」の再生中に電子メールが到着した場合、「曲１」の再生を停止し、電子メールに関する音声情報を出力する。そして、電子メールに関する音声情報の出力終了後に、巻き戻して再び「曲１」の冒頭から再生し、つづいて「曲２，曲３」を再生する。
【０１１３】
以上のように、本実施の形態に係る情報処理装置によれば、音楽演奏中に電子メール着信があった場合に、演奏中の曲を中断して電子メール着信を知らせる音声情報を出力し、その後音楽演奏を中断した曲の冒頭から再開することができる。これにより、電子メール着信を知らせる音声情報を音楽演奏に邪魔されることなく聞いた後に、中断された曲を最初から聞き直すことができる。
【０１１４】
〔実施の形態４〕
本発明のさらに他の実施の形態について図１，図２，図６に基づいて説明すれば、以下のとおりである。なお、説明の便宜上、前記の実施の形態１において示した部材と同一の機能を有する部材には、同一の符号を付し、その説明を省略する。また、前記の実施の形態１において定義した用語については、特に断らない限り本実施の形態においてもその定義に則って用いるものとする。
【０１１５】
図１，図２，図６を参照しながら、本実施の形態に係る情報処理装置１０（図１）の音声情報出力統合部２７において行われる、音声情報制御部２６から渡される音声データと、電子メール制御部２４から渡される電子メールに関する出力情報との統合処理（図２のＳ５）による出力制御の例について説明する。なお、電子メール到着時に出力する音声データについては前述のとおりである。
【０１１６】
本実施の形態に係る情報処理装置１０は、電子メール到着時に、再生中の音楽情報を区切りまで再生し、その後電子メールに関する音声情報を出力する。
【０１１７】
すなわち、図６に示すように、音楽情報として「曲１，曲２，曲３」を連続して再生するスケジュールであったのに対して、「曲１」の再生中に電子メールが到着した場合、「曲１」の再生を中断せずに最後まで行い、「曲１」の再生終了後に電子メールに関する音声情報を出力する。なお、再生のスケジュールおよび停止位置を記憶することにより、電子メールに関する音声情報の出力終了後、ユーザの指示により、「曲２，曲３」の連続再生を再開することができる。
【０１１８】
以上のように、本実施の形態に係る情報処理装置によれば、音楽演奏中に電子メール着信があった場合に、演奏中の曲の再生が終了した段階で電子メール着信を知らせる音声情報を出力することができる。これにより、中断されることなく演奏中の曲を聞き、その後電子メール着信を知らせる音声情報を音楽演奏に邪魔されることなく聞くことができる。
【０１１９】
〔実施の形態５〕
本発明のさらに他の実施の形態について図１，図２，図７に基づいて説明すれば、以下のとおりである。なお、説明の便宜上、前記の実施の形態１において示した部材と同一の機能を有する部材には、同一の符号を付し、その説明を省略する。また、前記の実施の形態１において定義した用語については、特に断らない限り本実施の形態においてもその定義に則って用いるものとする。
【０１２０】
図１，図２，図７を参照しながら、本実施の形態に係る情報処理装置１０（図１）の音声情報出力統合部２７において行われる、音声情報制御部２６から渡される音声データと、電子メール制御部２４から渡される電子メールに関する出力情報との統合処理（図２のＳ５）による出力制御の例について説明する。なお、電子メール到着時に出力する音声データについては前述のとおりである。
【０１２１】
本実施の形態に係る情報処理装置１０は、電子メール到着時に、再生中の音楽情報を区切りまで再生し、その後電子メールに関する音声情報を出力し、さらにその後音楽情報の再生を続行する。
【０１２２】
すなわち、図７に示すように、音楽情報として「曲１，曲２，曲３」を連続して再生するスケジュールであったのに対して、「曲１」の再生中に電子メールが到着した場合、「曲１」の再生を中断せずに最後まで行い、「曲１」の再生終了後に電子メールに関する音声情報を出力する。さらに、電子メールに関する音声情報を出力した後に、残った「曲２，曲３」の再生を行う。
【０１２３】
以上のように、本実施の形態に係る情報処理装置によれば、音楽演奏中に電子メール着信があった場合、演奏中の曲の再生が終了した後に電子メール着信を知らせる音声情報を出力し、その後音楽演奏を次の曲から再開することができる。これにより、中断されることなく演奏中の曲を聞き、その後電子メール着信を知らせる音声情報を音楽演奏に邪魔されることなく聞いた後に、音楽演奏の残りを聞くことができる。
【０１２４】
〔実施の形態６〕
本発明のさらに他の実施の形態について図１，図２，図８，図９に基づいて説明すれば、以下のとおりである。なお、説明の便宜上、前記の実施の形態１において示した部材と同一の機能を有する部材には、同一の符号を付し、その説明を省略する。また、前記の実施の形態１において定義した用語については、特に断らない限り本実施の形態においてもその定義に則って用いるものとする。
【０１２５】
図１，図２，図８および図９を参照しながら、本実施の形態に係る情報処理装置１０（図１）の音声情報出力統合部２７において行われる、音声情報制御部２６から渡される音声データと、電子メール制御部２４から渡される電子メールに関する出力情報との統合処理（図２のＳ５）による出力制御の例について説明する。図８は電子メール到着時に再生中の音楽情報を直ちに停止する場合であり、図９は電子メール到着時に再生中の音楽情報を直後の区切りまで再生して停止する場合である。なお、電子メール到着時に出力する音声データについては前述のとおりである。
【０１２６】
本実施の形態に係る情報処理装置１０は、電子メール到着時に、再生中の音楽情報を停止して電子メールに関する音声情報を出力し、その後音楽情報の再生を早回しにて続行する。
【０１２７】
すなわち、図８に示すように、音楽情報として「曲１，曲２，曲３」を連続して再生するスケジュールであったのに対して、「曲１」の再生中に電子メールが到着した場合、「曲１」の再生を停止し、電子メールに関する音声情報を出力する。そして、電子メールに関する音声情報を出力した後、「曲１」の残りの部分を早回しにて再生し、つづいて、「曲２、曲３」を早回しにて再生する。なお、早回しの速度については、２倍速、３倍速、１．５倍速など任意に設定することができる。
【０１２８】
以上のように、本実施の形態に係る情報処理装置によれば、音楽演奏中に電子メール着信があった場合、演奏中の曲を中断して電子メール着信を知らせる音声情報を出力し、その後音楽演奏を中断位置から早回しで再開することができる。これにより、電子メール着信を知らせる音声情報を音楽演奏に邪魔されることなく聞いた後に、その音声情報を聞いたために遅れた音楽情報を、早回しで聞くことができる。
【０１２９】
また、本実施の形態に係る情報処理装置１０は、電子メール到着時に、再生中の音楽情報を区切りまで再生し、その後電子メールに関する音声情報を出力し、さらにその後音楽情報の再生を早回しにて続行することもできる。
【０１３０】
すなわち、図９に示すように、音楽情報として「曲１，曲２，曲３」を連続して再生するスケジュールであったのに対して、「曲１」の再生中に電子メールが到着した場合、「曲１」の再生を中断せずに最後まで行った後、電子メールに関する音声情報を出力する。そして、電子メールに関する音声情報を出力した後、「曲２，曲３」を早回しにて再生する。
【０１３１】
以上のように、本実施の形態に係る情報処理装置によれば、音楽演奏中に電子メール着信があった場合、演奏中の曲を中断せずに区切りまで再生し、その後電子メール着信を知らせる音声情報を出力し、さらにその後音楽情報の再生を早回しで再開することができる。これにより、電子メール着信を知らせる音声情報を音楽演奏に邪魔されることなく聞いた後に、その音声情報を聞いたために遅れた音楽情報を、早回しで聞くことができる。
【０１３２】
〔実施の形態７〕
本発明のさらに他の実施の形態について図１，図２，図１０，図１１に基づいて説明すれば、以下のとおりである。なお、説明の便宜上、前記の実施の形態１において示した部材と同一の機能を有する部材には、同一の符号を付し、その説明を省略する。また、前記の実施の形態１において定義した用語については、特に断らない限り本実施の形態においてもその定義に則って用いるものとする。
【０１３３】
本実施の形態は、前記の実施の形態６と同様に、電子メール到着時に、再生中の音楽情報を停止または区切りまで再生して停止し、電子メール情報を出力後、早回しで再生することに加えて、当初の演奏予定に追いついた時点で標準再生に戻して再生する。
【０１３４】
図１，図２，図１０および図１１を参照しながら、本実施の形態に係る情報処理装置１０（図１）の音声情報出力統合部２７において行われる、音声情報制御部２６から渡される音声データと、電子メール制御部２４から渡される電子メールに関する出力情報との統合処理（図２のＳ５）による出力制御の例について説明する。図１０は電子メール到着時に再生中の音楽情報を直ちに停止する場合であり、図１１は電子メール到着時に再生中の音楽情報を直後の区切りまで再生して停止する場合である。なお、電子メール到着時に出力する音声データについては前述のとおりである。
【０１３５】
本実施の形態に係る情報処理装置１０は、電子メール到着時に、再生中の音楽情報を停止して電子メールに関する音声情報を出力し、その後音楽情報の再生を早回しにて行い、当初の再生スケジュールに追いついた時点で標準速度の再生に戻る。
【０１３６】
すなわち、図１０に示すように、音楽情報として「曲１，曲２，曲３」を連続して再生するスケジュールであったのに対して、「曲１」の再生中に電子メールが到着した場合、「曲１」の再生を停止し、電子メールに関する音声情報を出力する。そして、電子メールに関する音声情報を出力した後、「曲１」の残りの部分を早回しにて再生し、つづいて、「曲２、曲３」を早回しにて再生する。このとき、「曲３」の早回し再生中に、当初予定していた「曲１，曲２，曲３」の連続再生のスケジュールに追いついてしまう。そこで、当初の連続再生のスケジュールに追いついた時点から、早回しから標準速度に変えて再生を行う。よって、「曲３」は、前半は早回しで、後半は標準速度にて再生が行われる。なお、早回しの速度については、２倍速、３倍速、１．５倍速など任意に設定することができる。
【０１３７】
以上のように、本実施の形態に係る情報処理装置によれば、音楽演奏中に電子メール着信があった場合、演奏中の曲を中断して電子メール着信を知らせる音声情報を出力し、その後音楽演奏を中断位置から早回しで再開することができる。加えて、早回しでの再生を、中断が行われなかった場合の演奏時間に追いついた時点で、標準速度での再生に戻すことができる。これにより、電子メール着信を知らせる音声情報を音楽演奏に邪魔されることなく聞くことができるとともに、早回しの期間を音声情報を聞いたために遅れた分を取り戻す期間に限定することができる。特に、音楽演奏が記録媒体からの読み出しではなく、例えば放送などによって供給される場合には、中断が行われなかった場合の演奏時間を追い越しての早回しができないため、有効である。
【０１３８】
また、本実施の形態に係る情報処理装置１０は、電子メール到着時に、再生中の音楽情報を区切りまで再生し、その後電子メールに関する音声情報を出力し、さらにその後音楽情報の再生を早回しにて行い、当初の再生スケジュールに追いついた時点で標準速度の再生に戻る。
【０１３９】
すなわち、図１１に示すように、音楽情報として「曲１，曲２，曲３」を連続して再生するスケジュールであったのに対して、「曲１」の再生中に電子メールが到着した場合、「曲１」の再生を中断せずに最後まで行った後、電子メールに関する音声情報を出力する。そして、電子メールに関する音声情報を出力した後、「曲２，曲３」を早回しにて再生する。このとき、「曲３」の早回し再生中に、当初予定していた「曲１，曲２，曲３」の連続再生のスケジュールに追いついてしまう。そこで、当初の連続再生のスケジュールに追いついた時点から、早回しから標準速度に変えて再生を行う。よって、「曲３」は、前半は早回しで、後半は標準速度にて再生が行われる。
【０１４０】
以上のように、本実施の形態に係る情報処理装置によれば、音楽演奏中に電子メール着信があった場合、演奏中の曲を中断せずに区切りまで再生し、その後電子メール着信を知らせる音声情報を出力し、さらにその後音楽情報の再生を早回しで再開することができる。加えて、早回しでの再生を、中断が行われなかった場合の演奏時間に追いついた時点で、標準速度での再生に戻すことができる。これにより、電子メール着信を知らせる音声情報を音楽演奏に邪魔されることなく聞くことができるとともに、早回しの期間を音声情報を聞いたために遅れた分を取り戻す期間に限定することができる。特に、音楽演奏が記録媒体からの読み出しではなく、例えば放送などによって供給される場合には、中断が行われなかった場合の演奏時間を追い越しての早回しができないため、有効である。
【０１４１】
〔実施の形態８〕
本発明のさらに他の実施の形態について図１，図２，図１２に基づいて説明すれば、以下のとおりである。なお、説明の便宜上、前記の実施の形態１において示した部材と同一の機能を有する部材には、同一の符号を付し、その説明を省略する。また、前記の実施の形態１において定義した用語については、特に断らない限り本実施の形態においてもその定義に則って用いるものとする。
【０１４２】
図１，図２，図１２を参照しながら、本実施の形態に係る情報処理装置１０（図１）の音声情報出力統合部２７において行われる、音声情報制御部２６から渡される音声データと、電子メール制御部２４から渡される電子メールに関する出力情報との統合処理（図２のＳ５）による出力制御の例について説明する。なお、電子メール到着時に出力する音声データについては前述のとおりである。
【０１４３】
本実施の形態に係る情報処理装置１０は、電子メール到着時に、再生中の音楽情報のボリュームを落として、再生中の音楽情報と電子メール情報とを同時に出力する。
【０１４４】
すなわち、図１２に示すように、音楽情報として「曲１，曲２，曲３」を連続して再生するスケジュールであったのに対して、「曲１」の再生中に電子メールが到着した場合、その時点で再生中の音楽情報のボリュームを落として、電子メールに関する音声情報を、「曲１」の残りの部分と「曲２」の前半部分と同時に再生する。このとき、再生中の音楽情報のボリュームは、電子メールに関する音声情報と同時に出力されている状態では、落とされたままである。そして、電子メールに関する音声情報の出力が終了した時点で、音楽情報を再生するボリュームは元に戻される。
【０１４５】
以上のように、本実施の形態に係る情報処理装置によれば、音楽演奏中に電子メール着信があった場合、演奏中の曲の音量を落として電子メール着信を知らせる音声情報を出力することができる。これにより、音楽演奏を中断することなく電子メール着信を知らせる音声情報を、明瞭に聞くことができる。
【０１４６】
〔実施の形態９〕
本発明のさらに他の実施の形態について図１，図２，図１３に基づいて説明すれば、以下のとおりである。なお、説明の便宜上、前記の実施の形態１において示した部材と同一の機能を有する部材には、同一の符号を付し、その説明を省略する。また、前記の実施の形態１において定義した用語については、特に断らない限り本実施の形態においてもその定義に則って用いるものとする。
【０１４７】
図１，図２，図１３を参照しながら、本実施の形態に係る情報処理装置１０（図１）の音声情報出力統合部２７において行われる、音声情報制御部２６から渡される音声データと、電子メール制御部２４から渡される電子メールに関する出力情報との統合処理（図２のＳ５）による出力制御の例について説明する。なお、電子メール到着時に出力する音声データについては前述のとおりである。
【０１４８】
本実施の形態に係る情報処理装置１０は、電子メール到着時に、再生中の音楽情報のボリュームを落とし、電子メールに関する音声情報を同時に出力するが、音楽情報の再生は区切りまでで一旦停止し、電子メールに関する音声情報の出力終了後に音楽情報の再生を続行する。
【０１４９】
すなわち、図１３に示すように、音楽情報として「曲１，曲２，曲３」を連続して再生するスケジュールであったのに対して、「曲１」の再生中に電子メールが到着した場合、その時点で再生中の音楽情報のボリュームを落として、電子メールに関する音声情報を、「曲１」の残りの部分と同時に再生する。そして、電子メールに関する音声情報の再生中に「曲１」の再生が終了すると、その時点で音楽情報の再生は一旦停止する。その後、電子メールに関する音声情報の出力が終了した時点で、「曲２，曲３」の再生を元のボリュームで開始する。
【０１５０】
以上のように、本実施の形態に係る情報処理装置によれば、音楽演奏中に電子メール着信があった場合、演奏中の曲の音量を落として電子メール着信を知らせる音声情報を出力するとともに、演奏中の曲の演奏が終了した時点で音楽演奏を中断することができる。これにより、曲の演奏を中断することなく電子メール着信を知らせる音声情報を明瞭に聞くことができる。また、演奏終了後には、電子メール着信を知らせる音声情報をさらに明瞭に聞くことができる。
【０１５１】
〔実施の形態１０〕
本発明のさらに他の実施の形態について図１，図２，図１４に基づいて説明すれば、以下のとおりである。なお、説明の便宜上、前記の実施の形態１において示した部材と同一の機能を有する部材には、同一の符号を付し、その説明を省略する。また、前記の実施の形態１において定義した用語については、特に断らない限り本実施の形態においてもその定義に則って用いるものとする。
【０１５２】
図１，図２，図１４を参照しながら、本実施の形態に係る情報処理装置１０（図１）の音声情報出力統合部２７において行われる、音声情報制御部２６から渡される音声データと、電子メール制御部２４から渡される電子メールに関する出力情報との統合処理（図２のＳ５）による出力制御の例について説明する。なお、電子メール到着時に出力する音声データについては前述のとおりである。
【０１５３】
本実施の形態に係る情報処理装置１０は、電子メール到着時に、再生中の音楽情報のボリュームを落とし、電子メールに関する音声情報を同時に出力するが、音楽情報の再生は区切りまでで一旦停止し、電子メールに関する音声情報の出力終了後、巻き戻して演奏停止した曲の冒頭から音楽情報の再生を続行する。
【０１５４】
すなわち、図１４に示すように、音楽情報として「曲１，曲２，曲３」を連続して再生するスケジュールであったのに対して、「曲１」の再生中に電子メールが到着した場合、その時点で再生中の音楽情報のボリュームを落として、電子メールに関する音声情報を、「曲１」の残りの部分と同時に再生する。そして、電子メールに関する音声情報の再生中に「曲１」の再生が終了すると、その時点で音楽情報の再生は一旦停止する。その後、電子メールに関する音声情報の出力が終了した時点で、ボリュームを元に戻して再度「曲１」の再生を開始し、つづけて「曲２，曲３」の再生を行う。
【０１５５】
以上のように、本実施の形態に係る情報処理装置によれば、音楽演奏中に電子メール着信があった場合、演奏中の曲の演奏が終了するまでの間は音楽演奏と電子メール着信を知らせる音声情報との両方を出力し、演奏中の曲の演奏が終了した後は、電子メール着信を知らせる音声情報のみを出力することができる。これにより、曲の演奏を中断することなく電子メール着信を知らせる音声情報を聞くことができ、曲の演奏終了後には、電子メール着信を知らせる音声情報を明瞭に聞くことができ、電子メール着信を知らせる音声情報の終了後には、曲を再度明瞭に聞き直すことができる。
【０１５６】
加えて、本実施の形態に係る情報処理装置によれば、演奏中の曲の演奏が終了するまでの間の音楽演奏を、音量を落として行うことができる。これにより、曲の演奏を中断することなく、電子メール着信を知らせる音声情報を明瞭に聞くことができる。
【０１５７】
〔実施の形態１１〕
本発明のさらに他の実施の形態について図１，図２，図１５に基づいて説明すれば、以下のとおりである。なお、説明の便宜上、前記の実施の形態１において示した部材と同一の機能を有する部材には、同一の符号を付し、その説明を省略する。また、前記の実施の形態１において定義した用語については、特に断らない限り本実施の形態においてもその定義に則って用いるものとする。
【０１５８】
図１，図２，図１５を参照しながら、本実施の形態に係る情報処理装置１０（図１）の音声情報出力統合部２７において行われる、音声情報制御部２６から渡される音声データと、電子メール制御部２４から渡される電子メールに関する出力情報との統合処理（図２のＳ５）による出力制御の例について説明する。なお、電子メール到着時に出力する音声データについては前述のとおりである。
【０１５９】
本実施の形態に係る情報処理装置１０は、音楽情報をＬ音声およびＲ音声（出力チャンネル）によりステレオ再生している状態において、電子メール到着時に、ステレオの一方の音声ではそのまま音楽情報を再生し、他方の音声を用いて電子メールに関する音声情報を出力する。
【０１６０】
すなわち、図１５に示すように、音楽情報として「曲１，曲２，曲３」を連続して再生するスケジュールであったのに対して、「曲１」の再生中に電子メールが到着した場合、その時点で再生中の音楽情報のうち、例えばＲ音声での再生を中断し、Ｒ音声において電子メールに関する音声情報を出力する。その間、Ｌ音声では音楽情報の再生を続行する。そして、電子メールに関する音声情報の出力が終了した時点からは、Ｒ音声でも音楽情報を出力する。
【０１６１】
以上のように、本実施の形態に係る情報処理装置によれば、音楽演奏中に電子メール着信があった場合、ステレオ演奏中の曲をモノラルにし、電子メール着信を知らせる音声情報もモノラルとし、合わせてステレオ出力とすることができる。これにより、音楽演奏と電子メール着信を知らせる音声情報とを、左右の音声で別々に出力するため、明瞭に聞き分けることができる。特に、ヘッドホン等を使用した場合には、左右の耳で別々に聞き分けることができる。
【０１６２】
〔実施の形態１２〕
本発明のさらに他の実施の形態について図１，図２，図１６に基づいて説明すれば、以下のとおりである。なお、説明の便宜上、前記の実施の形態１において示した部材と同一の機能を有する部材には、同一の符号を付し、その説明を省略する。また、前記の実施の形態１において定義した用語については、特に断らない限り本実施の形態においてもその定義に則って用いるものとする。
【０１６３】
図１，図２，図１６を参照しながら、本実施の形態に係る情報処理装置１０（図１）の音声情報出力統合部２７において行われる、音声情報制御部２６から渡される音声データと、電子メール制御部２４から渡される電子メールに関する出力情報との統合処理（図２のＳ５）による出力制御の例について説明する。なお、電子メール到着時に出力する音声データについては、後述する。
【０１６４】
本実施の形態に係る情報処理装置１０は、Ｌ音声およびＲ音声によって音楽情報をステレオ再生している状態において、電子メール到着時に、ステレオの一方の音声では音楽情報のＬ・Ｒ音声を合成したモノラル音声を再生し、他方の音声を用いて電子メールに関する音声情報を出力する。
【０１６５】
すなわち、図１６に示すように、音楽情報として「曲１，曲２，曲３」を連続して再生するスケジュールであったのに対して、「曲１」の再生中に電子メールが到着した場合、その時点で再生中の音楽情報のうち、例えばＲ音声での再生を中断し、Ｒ音声において電子メールに関する音声情報を出力する。その間、Ｌ音声では、再生される音楽情報のＬ音声とＲ音声とを合成して得られたモノラル音声を出力する。そして、電子メールに関する音声情報の出力が終了した時点からは、Ｌ音声およびＲ音声によって音楽情報をステレオ出力する。
【０１６６】
以上のように、本実施の形態に係る情報処理装置によれば、音楽演奏中に電子メール着信があった場合、ステレオ演奏中の曲をモノラルにし、電子メール着信を知らせる音声情報もモノラルとし、合わせてステレオ出力とすることができる。これにより、音楽演奏と電子メール着信を知らせる音声情報とを、左右の音声で別々に出力するため、明瞭に聞き分けることができる。特に、ヘッドホン等を使用した場合には、左右の耳で別々に聞き分けることができる。
【０１６７】
加えて、本実施の形態に係る情報処理装置によれば、ステレオ演奏中の曲をモノラルにする過程で、Ｒ音声とＬ音声とを合成した音声をモノラル音声とすることができる。これにより、例えばＬ音声とＲ音声の片方では意味をなさない音楽演奏であっても、モノラルに合成した音声を一方の音声に出力するため、意味のある音楽情報を電子メール着信を知らせる音声情報と同時に再生することができる。
【０１６８】
上述のように、本発明に係る情報処理装置は、２つの音声情報を同一の出力装置を用いて出力しなければならない場合に、統合して出力することができる。よって、２つの音声情報を統合せずに出力すると、２つの音声情報とが同時に聞こえて、利用者が一方あるいは両方の情報を聞きのがしてしまう状況においても、２つの音声情報とも利用者に理解できるように出力することが可能である。
【０１６９】
これにより、本発明に係る情報処理装置は、音声情報を再生中に電子メールが着信した場合に、電子メールに関する音声情報を音楽情報と統合して出力することによって、表示装置を用いることなく、電子メール着信を音声情報を用いて利用者に報知できる。
【０１７０】
なお、上記の各実施の形態は本発明の範囲を限定するものではなく、本発明の範囲内で種々の変更が可能である。
【０１７１】
上記の各実施の形態では、音楽情報の再生中に電子メールに関する情報を出力する場合について説明した。しかし、本発明は、単に電子メール受信機能と音楽演奏機能とを備えた音声出力をもつ情報処理装置に限定されず、２つの音声情報の出力制御を行う情報処理装置に広く適用可能である。
【０１７２】
音声情報入力部１３より入力される音声情報（第一音声情報）は、定常的に再生されるものであればよく、例えば、音楽情報の代わりにラジオ放送を利用することもできる。本発明に係る情報処理装置１０によれば、ラジオを聞きながら自動車を運転している状況で電子メールを受信した場合でも、電子メールに関する着信メッセージ等の情報とラジオ放送とを統合して出力することができる。
【０１７３】
また、電子メール制御部２４で生成される音声情報（第二音声情報）は、不定期に割り込んで出力するものであればよく、例えば、電子メールに関する音声情報の代わりに渋滞情報などのラジオ放送も利用できる。よって、ラジオ放送の音楽番組に、別チャンネルの渋滞情報を割り込ませて出力することもできる。さらに、割り込ませて出力する音声情報は、電子メールやラジオ放送等の外部から入力される情報だけでなく、情報処理装置１０の内部の情報に基づいても生成できる。
【０１７４】
また、音楽情報と電子メールに関する音声情報とを統合する方法（モード）は、音声情報出力統合部２７の制御により適宜切り換えることができる。例えば、音楽情報を直後の区切りまで再生した後に電子メール情報を出力するモード（図７）に設定された状態において、電子メールの着信時に再生中の曲の残余時間が長いと判定された場合、電子メールの着信後直ちに音楽情報の音量を落として電子メール情報を出力するモード（図１２）に変更して、出力を行うことも可能である。
【０１７５】
なお、本発明に係る情報処理装置は、ＭＤポータブルプレーヤー／ＭＰ３プレーヤー等にｂｌｕｅｔｏｏｔｈを組み込み、電子メールを受信する際の着信通知方法として応用可能である。
【０１７６】
本発明に係る情報処理装置は、プログラムに基づき動作する情報処理装置であり、第一音声情報（音楽情報）を入力する第一音声情報入力手段（音声情報入力部１３）と、第一音声情報入力手段による入力を処理し再生する第一音声情報再生手段（音声情報制御部２６）と、第一音声情報再生手段により再生している間に、情報処理装置（情報処理装置１０）の外部からの第二情報（電子メール）の入力を受けつける第二情報入力手段（通信入力部１２）と、第二情報入力手段による入力に基づき第二音声情報（電子メールに関する音声情報）を生成する第二音声情報生成手段（電子メール制御部２４）と、を備えるとともに、第一音声情報再生手段による再生情報と第二音声情報生成手段による生成情報とを統合して出力音声情報を生成する出力音声生成手段（音声情報出力統合部２７）と、出力音声生成手段によって生成された出力音声情報を出力する出力手段（音声情報出力部１４）と、を備えて構成されていてもよい。
【０１７７】
これにより、２つの音声情報、すなわち定常的に再生される音声情報と、不定期に割り込みされる音声情報とを、統合して同一の出力装置に出力することができる。
【０１７８】
また、本発明に係る情報処理装置は、上記第一音声情報再生手段として音楽演奏手段を備え、かつ、上記第二情報入力手段として電子メールを受信する電子メール受信手段を備えて構成されていてもよい。
【０１７９】
これにより、音楽演奏中に電子メール着信があった場合に、電子メール着信を知らせる音声情報をと演奏中の音楽とを統合して出力することができる。
【０１８０】
また、本発明に係る情報処理装置は、上記出力音声生成手段が、上記第二音声情報生成手段による生成情報が存在する場合、上記第一音声情報再生手段による再生情報の出力を中断し、上記第二音声情報生成手段による生成情報のみを出力する構成であってもよい。
【０１８１】
また、本発明に係る情報処理装置は、上記出力音声生成手段が、上記第二音声情報生成手段による生成情報の出力終了後に、上記第一音声情報再生手段による再生情報の出力を中断した箇所から開始する構成であってもよい。
【０１８２】
また、本発明に係る情報処理装置は、上記第一音声情報入力手段が区切り位置（曲情報）の付加された上記第一音声情報を入力し、上記出力音声生成手段が、、上記第二音声情報生成手段による生成情報の出力終了後に、上記第一音声情報再生手段による再生情報の出力を中断した箇所の直前の区切り位置（曲の冒頭）から開始する構成であってもよい。
【０１８３】
また、本発明に係る情報処理装置は、上記第一音声情報入力手段が区切り位置（曲情報）の付加された上記第一音声情報を入力し、上記出力音声生成手段が、上記第二音声情報生成手段による生成情報が存在する場合には、上記第一音声情報再生手段による再生情報の出力を直後の区切り位置（曲の終端）まで行って中断し、その後、上記第二音声情報生成手段による生成情報のみを出力する構成であってもよい。
【０１８４】
また、本発明に係る情報処理装置は、上記出力音声生成手段が、上記第二音声情報生成手段による生成情報の出力終了後に、上記第一音声情報再生手段による再生情報の出力を中断した区切り位置（次の曲の冒頭）から開始する構成であってもよい。
【０１８５】
また、本発明に係る情報処理装置は、上記出力音声生成手段が、上記第二音声情報生成手段による生成情報が存在する場合には、上記第一音声情報再生手段による再生情報の出力を中断して上記第二音声情報生成手段による生成情報のみの出力を行い、その後、第一音声情報再生手段による再生情報の再生を上記第二情報が入力される以前の再生速度よりも早い速度で行う（早回し再生）構成であってもよい。
【０１８６】
また、本発明に係る情報処理装置は、上記出力音声生成手段が、上記第二音声情報生成手段による生成情報のみの出力終了後に、上記第一音声情報再生手段による再生情報の再生を上記第二情報が入力される以前の再生速度よりも早い速度で行う際に、第二情報が入力される以前の再生速度による第一音声情報再生手段による再生に要する時間を計算し、上記第二音声情報生成手段による生成情報を出力しなかった場合の第一音声情報再生手段による再生と同一箇所に追いつくまで、第一音声情報再生手段による再生情報の再生を早い速度で行い、追いついた時点から、第二情報が入力される以前の再生速度により第一音声情報の再生を行う構成であってもよい。
【０１８７】
また、本発明に係る情報処理装置は、上記出力音声生成手段が、上記第二音声情報生成手段による生成情報が存在する場合には、上記第一音声情報再生手段による再生情報の音量を落とし、第二音声情報生成手段による生成情報と音量を落とした第一音声情報再生手段による再生情報とを合わせた情報を出力し、第二音声情報生成手段による生成情報が終了した時点で、第一音声情報再生手段による再生情報の音量を元に戻して出力する構成であってもよい。
【０１８８】
また、本発明に係る情報処理装置は、上記第一音声情報入力手段が区切り位置（曲情報）の付加された上記第一音声情報を入力し、上記出力音声生成手段が、上記第二音声情報生成手段による生成情報が存在する場合には、上記第一音声情報再生手段による再生情報の音量を落とし、第二音声情報生成手段による生成情報と音量を落とした第一音声情報再生手段による再生情報とを合わせた情報を、第一音声情報の直後の区切り位置（曲の終端）まで出力し、その後、第一音声情報再生手段による再生情報の出力を中断して第二音声情報生成手段による生成情報のみを出力する構成であってもよい。
【０１８９】
また、本発明に係る情報処理装置は、上記第一音声情報入力手段が区切り位置（曲情報）の付加された上記第一音声情報を入力し、上記出力音声生成手段が、上記第二音声情報生成手段による生成情報が存在する場合には、第二音声情報生成手段による生成情報と上記第一音声情報再生手段による再生情報とを合わせた情報を、第一音声情報の直後の区切り位置（曲の終端）まで出力し、その後、第一音声情報再生手段による再生情報の出力を中断して第二音声情報生成手段による生成情報のみを出力し、第二音声情報生成手段による生成情報の出力終了後に、第一音声情報再生手段による再生情報の出力を中断した区切り位置の前の区切り位置（統合出力された曲の冒頭）から開始する構成であってもよい。
【０１９０】
また、本発明に係る情報処理装置は、上記出力音声生成手段が、上記第二音声情報生成手段による生成情報と第一音声情報再生手段による再生情報とを合わせた情報を、上記第一音声情報の直後の区切り位置（曲の終端）まで行う際に、第一音声情報再生手段による再生情報の音量を落とす構成であってもよい。
【０１９１】
また、本発明に係る情報処理装置は、上記第一音声情報再生手段が再生情報をＬ音声とＲ音声とからなるステレオで再生し、上記出力音声生成手段が、上記第二音声情報生成手段による生成情報が存在しない場合には、第一音声情報再生手段における再生情報をそのままステレオで出力し、第二音声情報生成手段による生成情報が存在する場合には、第一音声情報再生手段による再生情報をＬ音声（またはＲ音声）より出力し、第二音声情報生成手段による生成情報をＲ音声（またはＬ音声）より出力して、合わせてステレオで出力する構成であってもよい。
【０１９２】
また、本発明に係る情報処理装置は、上記出力音声生成手段が、上記第一音声情報再生手段による再生情報をＬ音声（またはＲ音声）より出力する際に、第一音声情報再生手段における再生情報をそのままステレオで出力した場合のＬ音声とＲ音声とを合成してモノラル情報とし、もってＬ音声（またはＲ音声）より出力する構成であってもよい。
【０１９３】
また、本発明に係る情報処理装置は、上記第二音声情報生成手段が、電子メール着信を知らせる効果音、メロディ、メッセージの何れかを上記第二音声情報とする構成であってもよい。
【０１９４】
これにより、音楽演奏中に電子メール着信があった場合に、電子メール着信を知らせる効果音、メロディ、メッセージの何れかを出力することができる。
【０１９５】
また、本発明に係る情報処理装置は、上記第二音声情報生成手段が、着信した電子メールより取り出した音声を上記第二音声情報とする構成であってもよい。
【０１９６】
これにより、音楽演奏中に電子メール着信があった場合に、電子メール着信を知らせるために、電子メールに含まれる音声メッセージを直接出力することができる。
【０１９７】
また、本発明に係る情報処理装置は、上記第二音声情報生成手段が、着信した電子メールより取り出したテキスト情報を読みあげて音声化し、もって上記第二音声情報とする構成であってもよい。
【０１９８】
これにより、音楽演奏中に電子メール着信があった場合に、電子メール着信を知らせるために、電子メールに含まれるテキスト情報を音声化して出力することができる。
【０１９９】
また、本発明に係る情報処理装置は、上記第二音声情報で使用されている言語を判別し、該言語が情報処理装置の利用者が使用している言語と異なる場合には、情報処理装置の利用者が使用する言語に翻訳する構成を備えていてもよい。
【０２００】
これにより、電子メール着信があった場合に、メッセージを情報処理装置の利用者が使用する言語に翻訳して、再生することができる。
【０２０１】
また、本発明に係る情報処理プログラムを記録したコンピュータ読み取り可能な記録媒体は、上記の各手段を実現して情報処理装置を動作させるためのプログラムが記録されている構成であってもよい。
【０２０２】
これにより、上記情報処理装置を実現するためのプログラムを記録することができる。
【０２０３】
最後に、本発明は、複数の機器（例えば、ホストコンピュータ、端末コンピュータ、インタフェース機器、ネットワーク機器、リーダ、プリンタなど）から構成されるシステムに適用しても、一つの機器からなる装置（例えば、携帯型コンピュータ、ワープロ装置など）に適用してもよい。
【０２０４】
また、本発明の目的は、上述した機能を実現するソフトウエアである情報処理プログラムのプログラムコード（実行形式プログラム、中間コードプログラム、ソースプログラム）をコンピュータで読み取り可能に記録した記録媒体を、システムあるいは装置に供給し、そのシステムあるいは装置のコンピュータ（またはＣＰＵやＭＰＵ）が記録媒体に記録されているプログラムコードを読み出し実行することによっても、達成可能である。この場合、記録媒体から読み出されたプログラムコード自体が上述した機能を実現することになり、そのプログラムコードを記録した記録媒体は本発明を構成することになる。
【０２０５】
上記プログラムコードを供給するための記録媒体は、システムあるいは装置と分離可能に構成することができる。また、上記記録媒体は、プログラムコードを供給可能であるように固定的に担持する媒体であってもよい。そして、上記記録媒体は、記録したプログラムコードをコンピュータが直接読み取ることができるようにシステムあるいは装置に装着されるものであっても、外部記憶装置としてシステムあるいは装置に接続されたプログラム読み取り装置を介して読み取ることができるように装着されるものであってもよい。
【０２０６】
例えば、上記記録媒体としては、磁気テープやカセットテープ等のテープ系、フロッピーディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２０７】
また、上記プログラムコードは、コンピュータが記録媒体から読み出して直接実行できるように記録されていてもよいし、記録媒体から主記憶のプログラム記憶領域へ転送された後コンピュータが主記憶から読み出して実行できるように記録されていてもよい。
【０２０８】
さらに、上記記録媒体は、通信ネットワーク等を介してプログラムコードを供給可能であるように流動的に担持する媒体であってもよい。この場合、システムあるいは装置を通信ネットワーク（インターネット等を含む）と接続可能に構成し、上記プログラムコードを通信ネットワークからダウンロードすることにより供給することができる。
【０２０９】
なお、プログラムコードを記録媒体から読み出して主記憶に格納するためのプログラム、および、通信ネットワークからプログラムコードをダウンロードするためのプログラムは、コンピュータによって実行可能にあらかじめシステムあるいは装置に格納されているものとする。
【０２１０】
上述した機能は、コンピュータが読み出した上記プログラムコードを実行することによって実現されるだけでなく、そのプログラムコードの指示に基づき、コンピュータ上で稼働しているＯＳなどが実際の処理の一部または全部を行うことによっても実現される。
【０２１１】
さらに、上述した機能は、上記記録媒体から読み出された上記プログラムコードが、コンピュータに装着された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行うことによっても実現される。
【０２１２】
【発明の効果】
本発明の情報処理装置は、以上のように、第一音声情報を再生する第一音声情報再生手段と、上記第一音声情報が再生されている間に第二情報を取得する第二情報入力手段と、上記第二情報に基づいて第二音声情報を生成する第二音声情報生成手段と、上記の第一音声情報および第二音声情報を統合して出力する出力音声生成手段と、を備えている構成である。
【０２１３】
それゆえ、２つの音声情報、すなわち定常的に再生される第一音声情報と、不定期に割り込みされる第二音声情報とを統合して、共に聴き取り可能に同一の音声出力装置に出力することが可能となるという効果を奏する。したがって、第一音声情報の再生中であっても、第二情報の取得の報知や第二情報の内容などの第二情報に関する情報を音声情報の形式で出力できるという効果を奏する。
【０２１４】
本発明の情報処理装置は、以上のように、さらに、上記出力音声生成手段が、上記第二情報入力手段が上記第二情報を取得すると同時に、上記第一音声情報再生手段による上記第一音声情報の再生を中断して、上記第二音声情報のみを出力する構成である。
【０２１５】
それゆえ、さらに、第二情報の取得時に、第一音声情報の再生を停止して、第二音声情報のみを出力することができる。よって、第二情報に関する第二音声情報を、再生中の第一音声情報に邪魔されることなく聞き取ることができるという効果を奏する。
【０２１６】
本発明の情報処理装置は、以上のように、さらに、上記第一音声情報には区切り位置が付加されており、上記出力音声生成手段が、上記第二情報入力手段が上記第二情報を取得すると、上記第一音声情報再生手段による上記第一音声情報の再生を直後の区切り位置まで行って中断し、その後、上記第二音声情報のみを出力する構成である。
【０２１７】
それゆえ、さらに、第二情報の取得時に、第一音声情報を区切りまで再生し、その後第二音声情報のみを出力することができる。よって、第一音声情報を中断されずに聞くことができるとともに、第二情報に関する第二音声情報を、再生中の第一音声情報に邪魔されることなく聞き取ることができるという効果を奏する。
【０２１８】
本発明の情報処理装置は、以上のように、さらに、上記出力音声生成手段が、上記第二音声情報の出力終了後に、上記第一音声情報再生手段による上記第一音声情報の再生を上記中断位置から再開する構成である。
【０２１９】
それゆえ、さらに、第二情報の取得時に直ちにあるいは直後の区切りで、第一音声情報の再生を停止して、第二音声情報のみを出力し、その後第一音声情報の再生を続行することができる。よって、第二情報に関する第二音声情報を、第二情報の取得時に直ちにあるいは第一音声情報を直後の区切りまで聞いた後、再生中の第一音声情報に邪魔されることなく聞き取ることができるとともに、その後、第一音声情報の続きを聞くことができるという効果を奏する。
【０２２０】
本発明の情報処理装置は、以上のように、さらに、上記第一音声情報には区切り位置が付加されており、上記出力音声生成手段が、上記第二音声情報の出力終了後に、上記第一音声情報再生手段による上記第一音声情報の再生を上記中断位置の直前の区切り位置から再開する構成である。
【０２２１】
それゆえ、さらに、第二情報の取得時に、第一音声情報の再生を停止して、第二音声情報のみを出力し、その後再生を中断した位置の直前の区切り位置から第一音声情報を再生することができる。よって、第二情報に関する第二音声情報を、第二情報の取得時に直ちに、再生中の第一音声情報に邪魔されることなく聞き取ることができるとともに、その後、第一音声情報を中断位置の直前の区切り位置から聞き直すことができるという効果を奏する。
【０２２２】
本発明の情報処理装置は、以上のように、さらに、上記出力音声生成手段が、上記第二音声情報の出力終了後に、上記第一音声情報再生手段による上記第一音声情報の再生を上記中断前の再生速度よりも高速度で行う構成である。
【０２２３】
それゆえ、さらに、第二情報の取得時に直ちにあるいは直後の区切りで、第一音声情報の再生を停止して、第二音声情報のみを出力し、その後第一音声情報の再生を中断前の再生速度よりも高速度で続行することができる。よって、第二情報に関する第二音声情報を、第二情報の取得時に直ちにあるいは第一音声情報を直後の区切りまで聞いた後、再生中の第一音声情報に邪魔されることなく聞き取ることができるとともに、その後、第一音声情報の続きを早回しで聞くことができるという効果を奏する。
【０２２４】
本発明の情報処理装置は、以上のように、さらに、上記出力音声生成手段が、上記第二音声情報を出力しなかった場合の上記第一音声情報の出力に追いつくまで、上記第一音声情報再生手段による上記第一音声情報の再生を上記高速度で行い、追いついた時点から、上記中断前の再生速度で行う構成である。
【０２２５】
それゆえ、さらに、第二情報の取得時に直ちにあるいは直後の区切りで、第一音声情報の再生を停止して、第二音声情報のみを出力し、その後第一音声情報の再生を中断前の再生速度よりも高速度で再開し、当初の再生スケジュールに追いついた時点で中断前の再生速度に戻すことができる。よって、上記第二音声情報を出力しなかった場合の上記第一音声情報の出力に追いついた時点で、中断前の再生速度に戻すため、早回しの期間を第二音声情報を聞いたために遅れた分を取り戻す期間に限定することができるという効果を奏する。
【０２２６】
本発明の情報処理装置は、以上のように、さらに、上記出力音声生成手段が、上記第二情報入力手段が上記第二情報を取得すると同時に、上記第一音声情報の出力の音量を落として、上記第二音声情報と合わせた音声情報を出力し、該第二音声情報の出力が終了した時点で、上記第一音声情報の出力の音量を元に戻す構成である。
【０２２７】
それゆえ、さらに、第二情報の取得時に再生中の第一音声情報の音量を落とし、第一音声情報と第二音声情報とを同時に出力し、第二音声情報の出力終了時に第一音声情報の出力の音量を元に戻することが可能となる。よって、第二音声情報の出力中のみ第一音声情報の音量を落とすため、第二音声情報を明瞭に聞き取ることができるとともに、第一音声情報を中断なく再生することができるという効果を奏する。
【０２２８】
本発明の情報処理装置は、以上のように、さらに、上記第一音声情報には区切り位置が付加されており、上記出力音声生成手段が、上記第一音声情報再生手段による上記第一音声情報の再生を、上記第二情報入力手段による上記第二情報の取得直後の区切り位置まで行って中断し、上記第二音声情報の出力が終了した時点で再開する構成である。
【０２２９】
それゆえ、さらに、第二情報の取得時に再生中の第一音声情報の音量を落とし、第一音声情報と第二音声情報とを同時に出力し、第一音声情報の再生は直後の区切りで一旦停止し、第二音声情報の出力終了時に第一音声情報の再生を音量を元に戻して再開することが可能となる。よって、第二音声情報の出力中のみ第一音声情報の音量を落とすため、第二音声情報を明瞭に聞き取ることができるという効果を奏する。加えて、第一音声情報の直後の区切り以降は第二音声情報のみが出力されるため、より明瞭に聞き取ることができるという効果を奏する。
【０２３０】
本発明の情報処理装置は、以上のように、さらに、上記第一音声情報には区切り位置が付加されており、上記出力音声生成手段が、上記第二情報入力手段が上記第二情報を取得すると同時に、上記第二音声情報の出力を開始するとともに、上記第一音声情報再生手段による上記第一音声情報の再生を、上記第二情報入力手段による上記第二情報の取得直後の区切り位置まで行って中断し、かつ、上記第二音声情報の出力が終了した時点で、上記第二情報の取得直前の区切り位置から再開する構成である。
【０２３１】
それゆえ、さらに、第二情報の取得時に、第一音声情報と第二音声情報とを同時に出力し、第一音声情報の再生は直後の区切りで一旦停止し、第二音声情報の出力終了時に第一音声情報の再生を直前の区切り位置から再開することが可能となる。よって、第二情報の取得後直ちに第二音声情報を聞くことができるという効果を奏する。また、第一音声情報の直後の区切り以降は第二音声情報のみが出力されるため、第二音声情報を明瞭に聞き取ることができるという効果を奏する。加えて、中断された第一音声情報を直前の区切り位置から聞き直すことができるという効果を奏する。
【０２３２】
本発明の情報処理装置は、以上のように、さらに、上記出力音声生成手段が、上記第二情報入力手段が上記第二情報を取得した時点から上記第二音声情報の出力が終了する時点まで、上記第一音声情報の出力の音量を落とす構成である。
【０２３３】
それゆえ、さらに、第二情報の取得時に、第二情報の取得時点から第二音声情報の再生終了時点まで、第一音声情報を音量を落として出力できる。よって、第一音声情報を直後の区切りまで中断なく出力することができるという効果を奏する。また、第二音声情報の出力中のみ第一音声情報の音量を落とすため、第二音声情報を明瞭に聞き取ることができるという効果を奏する。加えて、第一音声情報の直後の区切り以降は第二音声情報のみが出力されるため、より明瞭に聞き取ることができるという効果を奏する。
【０２３４】
本発明の情報処理装置は、以上のように、さらに、上記出力音声生成手段が、複数の出力チャンネルを有し、上記第二音声情報を出力する際、上記出力チャンネルの少なくとも１つによって、上記第二音声情報のみを出力する構成である。
【０２３５】
それゆえ、さらに、第一音声情報を複数の出力チャンネルを用いて再生している状態において、第二情報の取得時に、出力チャンネルの少なくとも１つを第二音声情報のみを出力する専用チャンネルに割り当てることができる。よって、第一音声情報および第二音声情報を別々のチャンネルから出力することができるため、それぞれを明瞭に聞き取り可能であるように出力できるという効果を奏する。
【０２３６】
本発明の情報処理装置は、以上のように、さらに、上記出力音声生成手段が、上記第二音声情報を出力する際、上記第二音声情報のみを出力する上記出力チャンネルに割り当てられていた上記第一音声情報を他の出力チャンネルの第一音声情報と合成する構成である。
【０２３７】
それゆえ、さらに、第一音声情報を複数の出力チャンネルを用いて再生している状態において、第二情報の取得時に、出力チャンネルの少なくとも１つを第二音声情報のみを出力する専用チャンネルに割り当てることができる。そして、第二音声情報の専用チャンネルに割り当てられた出力チャンネルで出力するはずであった第一音声情報を他の出力チャンネルの第一音声情報と合成して出力できる。よって、第一音声情報および第二音声情報を別々のチャンネルから出力することができるため、それぞれを明瞭に聞き取り可能であるように出力できるという効果を奏する。加えて、第二音声情報の出力中も、すべての出力チャンネルの第一音声情報を出力することができるという効果を奏する。
【０２３８】
本発明の情報処理装置は、以上のように、さらに、上記第二情報入力手段が取得した上記第二情報から音声情報を取り出して、上記第二音声情報を生成する音声情報抽出手段を備えてい構成である。
【０２３９】
それゆえ、さらに、第二情報の取得時に、音声情報抽出手段が抽出した第二情報に含まれる音声情報を第二音声情報として出力できる。よって、第二情報の内容の確認が容易となるという効果を奏する。
【０２４０】
本発明の情報処理装置は、以上のように、さらに、上記第二情報入力手段が取得した上記第二情報からテキスト情報を取り出して読み上げることにより、上記第二音声情報を生成する音声化処理手段を備えている構成である。
【０２４１】
それゆえ、さらに、第二情報の取得時に、音声化処理手段が抽出して音声化した第二情報に含まれるテキスト情報を第二音声情報として出力できる。よって、テキスト情報で記載された第二情報の内容の確認が容易となるという効果を奏する。
【０２４２】
本発明の情報処理装置は、以上のように、さらに、上記第二情報から取り出されたテキスト情報を翻訳する翻訳処理手段を備えている構成である。
【０２４３】
それゆえ、さらに、第二情報の取得時に、音声化処理手段が抽出した第二情報に含まれるテキスト情報を、翻訳処理手段で翻訳することができる。よって、第二情報に含まれるテキスト情報を適当な言語に変換して音声情報で出力できるため、第二情報の内容の確認がより容易となるという効果を奏する。
【０２４４】
本発明の情報処理装置は、以上のように、さらに、上記第二情報入力手段が上記第二情報として電子メールを受信するものであり、上記第二音声情報生成手段が電子メールの着信を報知する第二音声情報を生成するものである構成を有する。
【０２４５】
それゆえ、さらに、第一音声情報の再生中に、第二情報である電子メールが着信した場合、その電子メールの着信を知らせる効果音、メロディ、メッセージ等を第二音声情報として生成し、第一音声情報と統合して出力することができる。よって、定常的に再生される第一音声情報と、不定期に割り込みされる電子メール着信を報知する第二音声情報とを統合して、共に聴き取り可能に同一の音声出力装置に出力することが可能となる。したがって、第一音声情報の再生中であっても、電子メール着信の報知を音声情報の形式で出力できるという効果を奏する。
【０２４６】
また、本発明の情報処理プログラムを記録したコンピュータ読み取り可能な記録媒体は、以上のように、上記の情報処理装置を動作させる情報処理プログラムを記録したコンピュータ読み取り可能な記録媒体であって、上記の各手段をコンピュータに実現させるための情報処理プログラムを記録した構成である。
【０２４７】
それゆえ、上記情報処理装置の各手段を実現するためのプログラムを記録することができる。したがって、上記情報処理プログラムを記録したコンピュータ読み取り可能な記録媒体は、それが利用される情報処理装置とは独立して取引され、市場を流通させることが可能となるという効果を奏する。
【０２４８】
また、本発明の情報処理方法は、以上のように、第一音声情報を再生する第一音声情報再生処理と、上記第一音声情報が再生されている間に第二情報を取得する第二情報入力処理と、上記第二情報に基づいて第二音声情報を生成する第二音声情報生成処理と、上記の第一音声情報および第二音声情報を統合して出力する出力音声生成処理と、を含んでいる方法である。
【０２４９】
それゆえ、第二情報入力処理にて第二情報を取得すると、第二音声情報生成処理にて第二情報に基づいて第二音声情報を生成し、出力音声生成処理にて第一音声情報と第二音声情報とを統合して出力する。
【０２５０】
よって、２つの音声情報、すなわち定常的に再生される第一音声情報と、不定期に割り込みされる第二音声情報とを統合して、共に聴き取り可能に同一の音声出力装置に出力することが可能となるという効果を奏する。したがって、第一音声情報の再生中であっても、第二情報の取得の報知や第二情報の内容などの第二情報に関する情報を音声情報の形式で出力できるという効果を奏する。
【図面の簡単な説明】
【図１】本発明の各実施の形態に係る情報処理装置の構成の概略を示す機能ブロック図である。
【図２】図１に示した情報処理装置の音楽情報と電子メールに関する出力情報との出力統合処理の概略を示すフローチャートである。
【図３】本発明の一実施の形態に係る情報処理装置の音楽情報と電子メールに関する出力情報との出力統合処理を示す説明図である。
【図４】本発明の他の実施の形態に係る情報処理装置の音楽情報と電子メールに関する出力情報との出力統合処理を示す説明図である。
【図５】本発明のさらに他の実施の形態に係る情報処理装置の音楽情報と電子メールに関する出力情報との出力統合処理を示す説明図である。
【図６】本発明のさらに他の実施の形態に係る情報処理装置の音楽情報と電子メールに関する出力情報との出力統合処理を示す説明図である。
【図７】本発明のさらに他の実施の形態に係る情報処理装置の音楽情報と電子メールに関する出力情報との出力統合処理を示す説明図である。
【図８】本発明のさらに他の実施の形態に係る情報処理装置の音楽情報と電子メールに関する出力情報との出力統合処理を示す説明図である。
【図９】本発明のさらに他の実施の形態に係る情報処理装置の音楽情報と電子メールに関する出力情報との出力統合処理を示す説明図である。
【図１０】本発明のさらに他の実施の形態に係る情報処理装置の音楽情報と電子メールに関する出力情報との出力統合処理を示す説明図である。
【図１１】本発明のさらに他の実施の形態に係る情報処理装置の音楽情報と電子メールに関する出力情報との出力統合処理を示す説明図である。
【図１２】本発明のさらに他の実施の形態に係る情報処理装置の音楽情報と電子メールに関する出力情報との出力統合処理を示す説明図である。
【図１３】本発明のさらに他の実施の形態に係る情報処理装置の音楽情報と電子メールに関する出力情報との出力統合処理を示す説明図である。
【図１４】本発明のさらに他の実施の形態に係る情報処理装置の音楽情報と電子メールに関する出力情報との出力統合処理を示す説明図である。
【図１５】本発明のさらに他の実施の形態に係る情報処理装置の音楽情報と電子メールに関する出力情報との出力統合処理を示す説明図である。
【図１６】本発明のさらに他の実施の形態に係る情報処理装置の音楽情報と電子メールに関する出力情報との出力統合処理を示す説明図である。
【図１７】従来の技術に係る情報処理装置の音楽情報と電子メールに関する出力情報との出力統合処理を示す説明図である。
【符号の説明】
１０    情報処理装置
１２    通信入力部（第二情報入力手段）
２４    電子メール制御部（第二音声情報生成手段）
２６    音声情報制御部（第一音声情報再生手段）
２７    音声情報出力統合部（出力音声生成手段）
３２    音声化処理部（音声化処理手段）
３３    翻訳処理部（翻訳処理手段）
３４    音声情報抽出部（音声情報抽出手段）
Ｓ２  第一音声情報再生処理
Ｓ３  第二情報入力処理
Ｓ４  第二音声情報生成処理
Ｓ５  出力音声生成処理
【図１】
0003850616.tif 000002
【図２】
0003850616.tif 000003
【図３】
0003850616.tif 000004
【図４】
0003850616.tif 000005
【図５】
0003850616.tif 000006
【図６】
0003850616.tif 000007
【図７】
0003850616.tif 000008
【図８】
0003850616.tif 000009
【図９】
0003850616.tif 000010
【図１０】
0003850616.tif 000011
【図１１】
0003850616.tif 000012
【図１２】
0003850616.tif 000013
【図１３】
0003850616.tif 000014
【図１４】
0003850616.tif 000015
【図１５】
0003850616.tif 000016
【図１６】
0003850616.tif 000017
【図１７】
0003850616.tif 000018